(57)【要約】【課題】後処理設定無しの設定のときに後処理を行わない記録シートを外部に排出する排出搬送路が存在しない後処理装置を画像形成装置に対して連結可能な画像形成システムであって、後処理装置が画像形成装置に対して連結状態である場合でも、後処理を行わない記録シートに対する詰まり等の不都合を回避できる画像形成システムを提供する。【解決手段】画像形成システムは、記録シートに対して画像形成処理を行う画像形成装置を備え、画像形成処理により画像形成された記録シートに対して後処理を行う一方、後処理を行わない設定である後処理設定無しの設定のときに後処理を行わない記録シートを外部に排出する排出搬送路が存在しない後処理装置を画像形成装置に対して連結可能な構成とされている。画像形成装置は、後処理装置が連結状態である場合に、後処理設定無しとすることを禁止する設定制御手段を備えている。【選択図】図１
2014092749.tif 000002
【特許請求の範囲】
【請求項１】
記録シートに対して画像形成処理を行う画像形成装置を備え、前記画像形成処理により画像形成された前記記録シートに対して後処理を行う一方、前記後処理を行わない設定である後処理設定無しの設定のときに前記後処理を行わない前記記録シートを外部に排出する排出搬送路が存在しない後処理装置を前記画像形成装置に対して連結可能な画像形成システムであって、
前記画像形成装置は、前記後処理装置が連結状態である場合に、前記後処理設定無しとすることを禁止する設定制御手段を備えることを特徴とする画像形成システム。
【請求項２】
請求項1に記載の画像形成システムであって、
前記画像形成装置により前記画像形成処理された前記記録シートを前記後処理装置に向けて排出する１又は複数の排出装置を介して前記後処理装置を前記画像形成装置に連結可能な構成とされており、
前記画像形成装置は、前記後処理を禁止すべき動作モードを含む複数の動作モードにより前記画像形成処理を行う構成とされており、前記後処理装置が前記画像形成装置に対して連結状態である場合であって、前記後処理を行わない前記記録シートを外部に排出する排出搬送路が存在する前記排出装置を含まない場合に、前記複数の動作モードのうち前記後処理を禁止すべき動作モードによる前記画像形成処理を禁止することを特徴とする画像形成システム。
【請求項３】
請求項２に記載の画像形成システムであって、
前記画像形成装置は、前記後処理装置が前記画像形成装置に対して連結状態である場合であって、前記排出搬送路が存在する前記排出装置を含まない場合に、前記複数の動作モードのうち前記後処理を禁止すべき動作モードによる前記画像形成処理を禁止するにあたって、前記後処理を禁止すべき動作モードによる前記画像形成処理に用いる画像データを前記画像形成装置に設けられた記憶部に一旦蓄積しておき、前記後処理装置が前記画像形成装置に対して連結されていない状態か、或いは、前記後処理装置が前記画像形成装置に対して連結状態である場合でも前記１又は複数の排出装置において前記排出搬送路が存在する前記排出装置を含む状態になった場合に、前記記憶部に一旦蓄積しておいた前記画像データを読み出し、読み出した前記画像データに基づいて画像形成することを特徴とする画像形成システム。
【請求項４】
請求項１から請求項３までの何れか１項に記載の画像形成システムであって、
前記画像形成装置は、表示画面を有する表示部と、予め定めた複数のジョブ処理を前記表示部の前記表示画面に表示させる表示制御手段とをさらに備え、
前記表示制御手段は、前記後処理装置が前記画像形成装置に対して連結状態である場合に、前記表示部の前記表示画面に表示させる前記複数のジョブ処理のうち、前記画像形成装置に対して前記後処理装置を連結したことで利用できなくなるジョブ処理を示す表示を非表示にすることを特徴とする画像形成システム。
【請求項５】
請求項１から請求項４までの何れか１項に記載の画像形成システムであって、
前記画像形成装置は、予め定めた複数のジョブ処理をジョブプログラムに予め登録しておくジョブプログラム登録制御手段をさらに備え、
前記画像形成装置は、前記ジョブプログラム登録制御手段にて予め登録しておいたジョブプログラムに基づいて前記画像形成処理を行う構成とされており、前記後処理装置が前記画像形成装置に対して連結状態である場合に、前記ジョブプログラムにおける前記複数のジョブ処理のうち、前記画像形成装置に対して前記後処理装置を連結したことで利用できなくなるジョブ処理を無効にすることを特徴とする画像形成システム。
【発明の詳細な説明】
【技術分野】
【０００１】
本発明は、記録シートに対して画像形成処理を行う画像形成装置を備え、ステープル処理、パンチ処理、折り処理等の後処理のうち少なくとも一つの後処理を行う後処理装置（例えば中綴じ処理装置）を画像形成装置に対して連結可能な画像形成システムに関する。
【背景技術】
【０００２】
記録紙等の記録シートに対して画像形成処理を行う画像形成装置を備えた画像形成システムでは、一般的に、ステープル処理、パンチ処理、折り処理等の後処理のうち少なくとも一つの後処理を行う後処理装置を画像形成装置に対して連結するようになっている。
【０００３】
このような画像形成システムにおいては、画像形成処理により画像形成された記録シートに対して後処理（例えばステープル処理と折り処理とを組み合わせた中綴じ処理）を行う一方、後処理を行わない設定である後処理設定無し（例えば中綴じ処理設定無し）の設定のときに後処理を行わない記録シートを外部に排出する排出搬送路が存在しない後処理装置（例えば中綴じ処理装置）を画像形成装置に対して連結することがある（例えば特許文献１参照）。
【先行技術文献】
【特許文献】
【０００４】
【特許文献１】特開２０１１−１１２７６３号公報
【発明の概要】
【発明が解決しようとする課題】
【０００５】
しかしながら、画像形成処理により画像形成された記録シートに対して後処理を行う一方、後処理設定無しの設定のときに後処理を行わない記録シートを外部に排出する排出搬送路が存在しない後処理装置が画像形成装置に対して連結状態である場合には、該後処理装置で記録シートに必ず後処理を行った上で後処理を行った記録シートを排出する必要があり、この場合、後処理を行わない記録シートを排出しようとしても、後処理を行わない記録シートを外部に排出する排出搬送路が存在しないことから、例えば、記録シートの詰まり（いわゆるジャム）といった不都合が発生することがある。
【０００６】
この点に関し、特許文献１に記載の画像形成システムでは、折り処理された記録シートが後処理装置において搬送できないサイズであると搬送不可の判定がされた場合、折り処理に関してユーザに警告、或いは、折り処理を禁止することで、折り処理された記録シートのジャムを招くことなく後処理できるようになっているものの、後処理設定無しの設定のときに後処理を行わない記録シートに対する詰まり等の不都合の発生を回避することについては、何ら示されていない。
【０００７】
そこで、本発明は、記録シートに対して画像形成処理を行う画像形成装置を備え、前記画像形成処理により画像形成された前記記録シートに対して後処理を行う一方、前記後処理を行わない設定である後処理設定無しの設定のときに前記後処理を行わない前記記録シートを外部に排出する排出搬送路が存在しない後処理装置を前記画像形成装置に対して連結可能な画像形成システムであって、前記後処理装置が前記画像形成装置に対して連結状態である場合でも、前記後処理を行わない前記記録シートに対する詰まり等の不都合を回避することができる画像形成システムを提供することを目的とする。
【課題を解決するための手段】
【０００８】
本発明は、前記課題を解決するために、記録シートに対して画像形成処理を行う画像形成装置を備え、前記画像形成処理により画像形成された前記記録シートに対して後処理を行う一方、前記後処理を行わない設定である後処理設定無しの設定のときに前記後処理を行わない前記記録シートを外部に排出する排出搬送路が存在しない後処理装置を前記画像形成装置に対して連結可能な画像形成システムであって、前記画像形成装置は、前記後処理装置が連結状態である場合に、前記後処理設定無しとすることを禁止する設定制御手段を備えることを特徴とする画像形成システムを提供する。
【０００９】
また、本発明は、記録シートに対して画像形成処理を行う画像形成装置の前記画像形成処理により画像形成された前記記録シートに対して後処理を行う一方、前記後処理を行わない設定である後処理設定無しの設定のときに前記後処理を行わない前記記録シートを外部に排出する排出搬送路が存在しない後処理装置を前記画像形成装置に対して連結可能な画像形成システムに備えられる前記画像形成装置であって、前記後処理装置が連結状態である場合に、前記後処理設定無しとすることを禁止する設定制御手段を備えることを特徴とする画像形成装置も提供する。
【００１０】
本発明において、前記画像形成装置により前記画像形成処理された前記記録シートを前記後処理装置に向けて排出する１又は複数の排出装置を介して前記後処理装置を前記画像形成装置に連結可能な構成とされている態様を例示できる。
【００１１】
前記排出装置としては、前記記録シートに対してステープル処理を行うステープル処理機能を有するフィニッシャ装置、前記記録シートに対してパンチ処理を行うパンチ処理機能を有するパンチ装置、前記記録シートに対して折り処理を行う折り処理機能を有する折り装置、排出された大容量の前記記録シートを収容するストック機能を有するストック装置等を例示できる。
【００１２】
本発明において、前記設定制御手段は、前記後処理装置が前記画像形成装置に対して連結状態である場合であって、前記１又は複数の排出装置において前記排出搬送路が存在する前記排出装置を含む場合か、或いは、前記後処理装置が前記画像形成装置に対して連結されていない状態である場合に、前記後処理設定無しとすることを許可する構成とされている態様を例示できる。
【００１３】
本発明において、前記設定制御手段は、前記後処理を行う設定である後処理設定有りの設定を許可する構成とされており、前記画像形成装置は、前記後処理装置が前記画像形成装置に対して連結状態である場合であって、前記後処理を行わない前記記録シートを外部に排出する排出搬送路が存在する前記排出装置を含まない場合に、前記設定制御手段において前記後処理設定有りの設定がなされていない限り、前記後処理を行う前記画像形成処理を禁止する態様を例示できる。
【００１４】
本発明において、前記設定制御手段は、前記後処理装置が前記画像形成装置に対して連結状態である場合であって、前記１又は複数の排出装置において前記排出搬送路が存在する前記排出装置を含む場合に、前記後処理設定無しの禁止を解除して、前記後処理を行う設定である後処理設定有りの設定と前記後処理設定無しの設定とのうち何れか一方を選択的に設定可能とされている態様を例示できる。
【００１５】
本発明において、前記画像形成装置は、前記後処理を禁止すべき動作モードを含む複数の動作モードにより前記画像形成処理を行う構成とされており、前記後処理装置が前記画像形成装置に対して連結状態である場合であって、前記排出搬送路が存在する前記排出装置を含まない場合に、前記複数の動作モードのうち前記後処理を禁止すべき動作モードによる前記画像形成処理を禁止する態様を例示できる。
【００１６】
本発明において、前記後処理を禁止すべき動作モードによる前記画像形成処理は、ファクシミリ受信により受信したファクシミリ受信データを示す画像データに基づいてファクシミリ画像を形成するファクシミリ画像形成処理と、前記画像形成装置のステータスデータを示す画像データに基づいてステータス情報画像を形成するステータス情報画像形成処理とのうち少なくとも一方を含む態様を例示できる。
【００１７】
本発明において、前記画像形成装置は、前記後処理装置が前記画像形成装置に対して連結状態である場合であって、前記排出搬送路が存在する前記排出装置を含まない場合に、前記複数の動作モードのうち前記後処理を禁止すべき動作モードによる前記画像形成処理を禁止するにあたって、前記後処理を禁止すべき動作モードによる前記画像形成処理に用いる画像データを前記画像形成装置に設けられた記憶部に一旦蓄積しておき、前記後処理装置が前記画像形成装置に対して連結されていない状態か、或いは、前記後処理装置が前記画像形成装置に対して連結状態である場合でも前記１又は複数の排出装置において前記排出搬送路が存在する前記排出装置を含む状態になった場合に、前記記憶部に一旦蓄積しておいた前記画像データを読み出し、読み出した前記画像データに基づいて画像形成する態様を例示できる。
【００１８】
本発明において、前記排出装置は、前記記録シートを排出する排出トレイを備え、前記記録シートを排出する基準位置と、前記後処理装置に連結可能な位置に退避する退避位置との間で前記排出トレイを移動させる構成とされており、前記画像形成装置は、前記排出装置と前記後処理装置との連結時に、前記排出装置における前記排出トレイを前記基準位置から前記退避位置に移動させるトレイ作動制御手段をさらに備える態様を例示できる。
【００１９】
本発明において、前記トレイ作動制御手段は、前記排出装置と前記後処理装置との離間時に、前記排出装置における前記排出トレイを前記退避位置から前記基準位置に移動させる態様を例示できる。
【００２０】
本発明において、前記画像形成装置は、表示画面を有する表示部と、予め定めた複数のジョブ処理を前記表示部の前記表示画面に表示させる表示制御手段とをさらに備え、前記表示制御手段は、前記後処理装置が前記画像形成装置に対して連結状態である場合に、前記表示部の前記表示画面に表示させる前記複数のジョブ処理のうち、前記画像形成装置に対して前記後処理装置を連結したことで利用できなくなるジョブ処理を示す表示を非表示にする態様を例示できる。
【００２１】
本発明において、前記画像形成装置は、予め定めた複数のジョブ処理をジョブプログラムに予め登録しておくジョブプログラム登録制御手段をさらに備え、前記画像形成装置は、前記ジョブプログラム登録制御手段にて予め登録しておいたジョブプログラムに基づいて前記画像形成処理を行う構成とされており、前記後処理装置が前記画像形成装置に対して連結状態である場合に、前記ジョブプログラムにおける前記複数のジョブ処理のうち、前記画像形成装置に対して前記後処理装置を連結したことで利用できなくなるジョブ処理を無効にする態様を例示できる。
【００２２】
本発明において、前記後処理装置は、中綴じ処理装置であり、前記後処理は、中綴じ処理であり、前記後処理を行わない設定は、前記中綴じ処理を行わない設定である中綴じ処理設定無しの設定である態様を例示できる。
【発明の効果】
【００２３】
本発明によると、前記後処理設定無しの設定のときに後処理を行わない前記記録シートを外部に排出する前記排出搬送路が存在しない前記後処理装置が前記画像形成装置に対して連結状態である場合でも、前記後処理を行わない前記記録シートに対する詰まり等の不都合を回避することができる。
【図面の簡単な説明】
【００２４】
【図１】本発明の実施の形態に係る画像形成システムにおいて一部の内部を透視した状態を示す概略正面図であって、（ａ）及び（ｂ）は、それぞれ、連結状態Ｉ，IIを示す図である。
【図２】本発明の実施の形態に係る画像形成システムにおいて一部の内部を透視した状態を示す概略正面図であって、（ａ）及び（ｂ）は、それぞれ、連結状態III，IVを示す図である。
【図３】図１及び図２に示す画像形成システムにおける制御系のシステム構成を示すブロック図である。
【図４】図２（ａ）に示す画像形成システムにおける中間排出装置の概略構成を模式的に示す断面図である。
【図５】図１及び図２（ｂ）に示す画像形成システムにおける後処理付き排出装置の概略構成を模式的に示す断面図である。
【図６】図１及び図２（ａ）に示す画像形成システムにおける中綴じ処理装置の概略構成を模式的に示す断面図である。
【図７】中綴じ処理装置の折り処理装置における折り処理部を模式的に示す断面図であって、（ａ）は、折り部材が退避位置に位置している状態を示す図であり、（ｂ）は、折り部材が押し込み位置に位置している状態を示す図である。
【図８】中綴じ処理される場合での画像データにおける画像のページ数と記録シートの枚数との関係を説明するための模式図である。
【図９】図３に示す画像形成装置における制御部の制御構成を模式的に示すブロック図である。
【図１０】画像形成装置を立ち上げたときの表示部の表示画面に表示される初期画面の一例を示す正面図である。
【図１１】図１０に示す初期画面に対して利用者により「コピー」ボタンが選択操作されたときの表示部の表示画面に表示されるコピー処理画面の一例を示す正面図である。
【図１２】図１０に示す初期画面に対して利用者により設定ボタンが選択操作されたときの表示部の表示画面に表示される設定画面の一例を示す正面図であって、図１（ａ）に示す連結状態Ｉの場合での設定画面を示す図である。
【図１３】図１０に示す初期画面に対して利用者により設定ボタンが選択操作されたときの表示部の表示画面に表示される設定画面の他の例を示す正面図であって、（ａ）は、図２（ａ）に示す連結状態IIIの場合での設定画面を示す図であり、（ｂ）は、図１（ｂ）及び図２（ｂ）に示す連結状態II，IVの場合での設定画面を示す図である。
【図１４】後処理装置が画像形成装置に対して連結状態である場合に、後処理設定無しとすることを禁止する制御例を示すフローチャートである。
【図１５】動作モード制御手段による複数の動作モードのうち後処理を禁止すべき動作モードによる画像形成処理を禁止する制御例を示すフローチャートである。
【図１６】後処理を禁止すべき動作モードによる画像形成処理を禁止する図１５の制御構成の変形例を示すフローチャートである。
【図１７】排出装置に対して後処理装置を連結又は離間させるにあたりトレイ作動制御手段により排出装置における排出トレイを移動させる制御例を示すフローチャートである。
【図１８】表示部の表示画面に表示させる複数のジョブ処理の設定項目と、その設定値と、画像形成装置に対して後処理装置を連結したことで利用できなくなるジョブ処理を示す表示を非表示にする例とを示す図表である。
【図１９】後処理装置が画像形成装置に対して連結状態になることによってジョブプログラムを呼び出したときに無効になるジョブ処理の機能の例を示す図表である。
【発明を実施するための形態】
【００２５】
以下、本発明に係る実施の形態について図面を参照しながら説明する。
【００２６】
図１及び図２は、本発明の実施の形態に係る画像形成システムＡにおいて一部の内部を透視した状態を示す概略正面図である。図１（ａ）及び図１（ｂ）並びに図２（ａ）及び図２（ｂ）は、それぞれ、連結状態Ｉ〜IVを示す図である。
【００２７】
図１及び図２に示す画像形成システムＡは、記録紙等の記録シートＰに対して画像形成処理を行う画像形成装置１００を備え、画像形成処理により画像形成された記録シートＰに対して後処理を行う後処理装置（ここでは、中綴じ処理装置４００）を画像形成装置１００に対して連結可能な構成とされている。ここで、画像形成システムＡに用いる中綴じ処理装置４００は、後処理を行わない設定である後処理設定無しの設定のときに後処理を行わない記録シートＰを外部に排出する排出搬送路が存在しない構成とされている。
【００２８】
画像形成システムＡは、中綴じ処理装置４００を画像形成装置１００に直接的に連結可能とされ、かつ、１又は複数の排出装置を介して中綴じ処理装置４００を画像形成装置１００に間接的に連結可能とされている。
【００２９】
ここで、１又は複数の排出装置は、画像形成装置１００により画像形成処理された記録シートＰを外部に排出する構成と、画像形成装置１００により画像形成処理された記録シートＰを中綴じ処理装置４００に排出する構成とのうち、少なくとも中綴じ処理装置４００に排出する構成を有している。この１又は複数の排出装置は、後処理設定無しの設定のときに後処理を行わない記録シートＰを外部に排出する排出搬送路が存在する第１排出装置、及び、後処理設定無しの設定のときに後処理を行わない記録シートＰを外部に排出する排出搬送路が存在しない第２排出装置を含むことできる。
【００３０】
すなわち、１又は複数の排出装置を介して中綴じ処理装置４００を画像形成装置１００に間接的に連結する構成としては、それには限定されないが、第１排出装置を介して中綴じ処理装置４００を画像形成装置１００に連結する構成、第２排出装置を介して中綴じ処理装置４００を画像形成装置１００に連結する構成、或いは、第１排出装置及び第２排出装置を介して中綴じ処理装置４００を画像形成装置１００に連結する構成を例示できる。
【００３１】
第１排出装置としては、記録シートＰを中綴じ処理装置４００に向けて搬送する一方、搬送途中の記録シートＰを外部に排出することが可能な構成とされた中間排出装置２００（図２（ａ）参照）、記録シートＰを後処理する一方、記録シートＰを外部に排出することが可能な構成とされた後処理付き排出装置３００（図２（ｂ）参照）を例示できる。第２排出装置としては、記録シートＰを中綴じ処理装置４００に向けて搬送する一方、記録シートＰに対して後処理を行う後処理付き排出装置３００（図１（ａ）参照）を例示できる。
【００３２】
ここで、後処理付き排出装置３００は、中綴じ処理装置４００が連結されている状態では（図１（ａ）参照）、後処理設定無しの設定のときに後処理を行わない記録シートＰを外部に排出する排出搬送路が存在しない第２排出装置として作用するが、中綴じ処理装置４００が連結されていない状態では（図１（ｂ）及び図２（ｂ）参照）、後処理を行わない記録シートＰを外部に排出する排出搬送路が存在する第１排出装置として作用する。
【００３３】
後処理付き排出装置３００としては、記録シートＰの束に対してステープル処理を行うステープル処理機能を有するステープル処理装置、記録シートＰ又は記録シートＰの束に対してパンチ処理を行うパンチ処理機能を有するパンチ処理装置、及び、記録シートＰ又は記録シートＰの束に対して折り処理を行う折り処理機能を有する折り処理装置のうち少なくとも一つを含むフィニッシャ装置を例示できる。
【００３４】
また、中綴じ処理装置４００としては、記録シートＰの束に対してステープル処理を行うステープル処理機能を有するステープル処理装置と記録シートＰの束に対して折り処理を行う折り処理機能を有する折り処理装置とを組み合わせて中綴じ冊子を製本するフィニッシャ装置を例示できる。
【００３５】
ここでは、後処理付き排出装置３００は、記録シートＰの束の端部にステープル処理を行うステープル処理装置３１０を含むフィニッシャ装置とされており、中綴じ処理装置４００は、記録シートＰの束の中央部にステープル処理を行うステープル処理装置４１０と記録シートＰの束の中央部に折り処理を行う折り処理装置４２０とを組み合わせて中綴じ冊子を製本するフィニッシャ装置とされている。
【００３６】
次に、図１（ａ）及び図１（ｂ）並びに図２（ａ）及び図２（ｂ）に示す連結状態Ｉ〜IVについて以下に説明する
図１（ａ）に示す画像形成システムＡでの連結状態は、画像形成装置１００の排出側に、後処理設定無しの設定のときに後処理を行わない記録シートＰを外部に排出する排出搬送路が存在しない排出装置として作用する後処理付き排出装置３００が連結され、後処理付き排出装置３００の排出側に中綴じ処理装置４００が連結されている連結状態Ｉとされている。
【００３７】
図１（ｂ）に示す画像形成システムＡでの連結状態は、図１（ａ）に示す連結状態Ｉから中綴じ処理装置４００が後処理付き排出装置３００に対して離間することで後処理付き排出装置３００において後処理設定無しの設定のときに後処理を行わない記録シートＰを外部に排出する排出搬送路３３０が存在するようになった連結状態IIとされている。
【００３８】
図２（ａ）に示す画像形成システムＡでの連結状態は、画像形成装置１００の排出側に、後処理設定無しの設定のときに後処理を行わない記録シートＰを外部に排出する排出搬送路２３０が存在する排出装置（第１排出装置）として作用する中間排出装置２００が連結され、中間排出装置２００の排出側に後処理装置として作用する中綴じ処理装置４００が連結されている連結状態IIIとされている。
【００３９】
また、図２（ｂ）に示す画像形成システムＡでの連結状態は、画像形成装置１００の排出側に、後処理設定無しの設定のときに後処理を行わない記録シートＰを外部に排出する排出搬送路３３０が存在する排出装置として作用する後処理付き排出装置３００が連結されている連結状態IVとされている。
【００４０】
次に、図１及び図２に示す画像形成システムＡにおいて画像形成装置１００、並びに、画像形成装置１００に対して連結される中間排出装置２００、後処理付き排出装置３００及び中綴じ処理装置４００について以下に説明する。ここで、画像形成装置１００、中間排出装置２００、後処理付き排出装置３００及び中綴じ処理装置４００は、特に限定されるものではなく、従来公知のものを用いることができるが、その一例として、以下のような、画像形成装置１００、中間排出装置２００、後処理付き排出装置３００及び中綴じ処理装置４００とすることができる。
【００４１】
なお、図１及び図２に示す画像形成システムＡにおいて、付している参照符号のうち、説明していない参照符号の箇所については、後述する。
【００４２】
図３は、図１及び図２に示す画像形成システムＡにおける制御系のシステム構成を示すブロック図である。
【００４３】
−画像形成装置−
画像形成装置１００は、画像形成装置１００本体１１０（図１及び図２参照）の全体の制御、並びに、中間排出装置２００（図２（ａ）参照）、後処理付き排出装置３００（図１（ａ）、図１（ｂ）及び図２（ｂ）参照）及び中綴じ処理装置４００（図１（ａ）、図１（ｂ）及び図２（ａ）参照）の制御を行う制御部１０１を備えている。画像形成装置１００本体１１０は、この例では、コピー機能、プリンタ機能、スキャナ機能、ファクシミリ機能及び設定機能を有する複合機とされている。
【００４４】
制御部１０１は、ＣＰＵ（Central Processing Unit）等の処理部１０２と、ＲＯＭ（Read Only Memory）等の不揮発性メモリやフラッシュメモリなどの書き込み可能な不揮発性メモリ及びＲＡＭ（Random Access Memory）等の揮発性メモリを含む記憶部１０３とを備えている。
【００４５】
詳しくは、画像形成装置１００は、制御部１０１の処理部１０２が記憶部１０３のＲＯＭに予め格納された制御プログラムを記憶部１０３のＲＡＭ上にロードして実行することにより、各種構成要素を制御するようになっている。また、記憶部１０３における不揮発性メモリには、画像形成装置１００の動作パラメータや設定データ、中間排出装置２００、後処理付き排出装置３００や中綴じ処理装置４００といった画像形成装置１００に連結される装置の装置情報などの各種システム情報が格納されている。
【００４６】
画像形成装置１００は、原稿の画像を読み取って画像データに変換する画像読取部１２０と、画像読取部１２０からの画像データ、或いは、情報処理装置（具体的にはクライアントコンピュータ）ＰＣからの画像データに基づいて記録シートＰに画像を形成する画像形成処理を行う画像形成部１３０とを備えている。画像形成部１３０は、図示を省略した感光体、帯電装置、露光装置書、現像装置、転写装置、定着装置を備え、これらの装置が制御部１０１からの指示信号により作動制御されることにより、画像形成処理を行うようになっている。
【００４７】
画像形成装置１００は、画像形成処理に関する各機能及び種々の動作モード（例えば後述する中綴じ処理を禁止すべき動作モードなど）の設定操作が可能な操作表示部１４０、シート収容部１５０、シート供給部１６０、シート搬送部１７０及びシート排出部１８０をさらに備え、これらの構成要素が制御部１０１からの指示信号により作動制御されることにより、画像形成処理を行うようになっている。
【００４８】
操作表示部１４０は、画像形成システムＡの各種処理の指示操作、入力操作或いは選択操作するためのイラスト、メッセージ、表示ボタン等の各種処理情報の表示を行う機能と、画像形成システムＡの各種処理の指示操作、各種処理情報の入力操作或いは選択操作を行う機能とを備えている。
【００４９】
操作表示部１４０は、液晶表示装置等のディスプレイ装置を構成する表示部１４１と、表示部１４１の表示画面Ｇ（後述する図１０参照）上に設けられて表示画面Ｇ上でのタッチ入力操作により入力操作情報（画面位置情報）を受け付けるタッチ入力部を構成する操作部１４２とを備えている。すなわち、表示部１４１は、表示画面Ｇ上に設けられた操作部１４２と共にタッチ操作可能な表示パネル（いわゆるタッチパネル）を構成しており、表示画面Ｇに表示される表示キー（いわゆるソフトウェアキー）をタッチ入力操作できるようになっている。また、操作部１４２は、表示画面Ｇとは別に操作キー１４２ａ（いわゆるハードウェアキー、図１０参照）のプッシュ入力操作により入力操作情報を受け付ける構成をさらに備えている。
【００５０】
操作表示部１４０は、制御部１０１の入力系及び出力系に電気的に接続されている。これにより、表示部１４１は、制御部１０１から送られてくる画面データに基づいて、後述する初期画面Ｇ１（図１０参照）等の各種画面を表示することができ、操作部１４２は、初期画面Ｇ１等の各種画面に対する入力操作或いは選択操作を受け付けて入力情報或いは選択情報を制御部１０１に送信することができる。
【００５１】
シート収容部１５０（図１及び図２参照）は、１又は上下方向に複数段積みされた（この例では３段）のシート収容部とされている。シート収容部１５０は、複数の記録シートＰ〜Ｐを積載して収容する構成とされている。シート供給部１６０は、シート収容部１５０に対応して設けられており、シート収容部１５０に積載されて収容された最上位に位置する記録シートＰを画像形成部１３０に向けて供給する構成とされている。
【００５２】
シート搬送部１７０は、シート供給部１６０にて画像形成部１３０に向けて供給される記録シートＰを画像形成部１３０に搬送し、画像形成部１３０にて画像形成処理が行われた記録シートＰをシート排出部１８０に搬送する構成とされている。シート排出部１８０は、画像形成部１３０にて画像形成処理が行われた記録シートＰを画像形成装置１００に連結された後処理付き排出装置３００（図１（ａ）、図１（ｂ）及び図２（ｂ）参照）、又は、中間排出装置２００（図２（ａ）参照）に搬送する構成とされている。シート搬送部１７０及びシート排出部１８０は、図示を省略した駆動モータや搬送ローラなどシート搬送部材を含んでいる。
【００５３】
画像形成装置１００は、中間排出装置２００、後処理付き排出装置３００及び中綴じ処理装置４００とデータ通信を行うデータ通信部１９０をさらに備えている。
【００５４】
中間排出装置２００、後処理付き排出装置３００及び中綴じ処理装置４００は、それぞれ、中間排出装置２００、後処理付き排出装置３００及び中綴じ処理装置４００の本体の全体を制御する副制御部２０１，３０１，４０１を備えている。副制御部２０１，３０１，４０１は、画像形成装置１００における制御部１０１と同様の構成とされており、画像形成装置１００における制御部１０１と通信するようになっている。これにより、画像形成装置１００は、制御部１０１からの指示信号により副制御部２０１，３０１，４０１を制御することができる。
【００５５】
詳しくは、中間排出装置２００、後処理付き排出装置３００及び中綴じ処理装置４００は、画像形成装置１００におけるデータ通信部１９０との間でデータ通信を行うことができるデータ通信部２０２，３０２，４０２をそれぞれ備えている。データ通信部２０２，３０２，４０２は、それぞれ、画像形成装置１００からの制御信号を受信する受信機能と、中間排出装置２００、後処理付き排出装置３００及び中綴じ処理装置４００の種別を識別する識別データ、並びに、中間排出装置２００、後処理付き排出装置３００及び中綴じ処理装置４００の状態を示すステータスデータを画像形成装置１００に送信する送信機能とを有している。
【００５６】
かかる構成を備えることにより、画像形成装置１００では、制御部１０１は、副制御部２０１，３０１，４０１からデータ通信部１９０を介して送られてきた中間排出装置２００、後処理付き排出装置３００及び中綴じ処理装置４００の識別データ及びステータスデータを取得することができる。これにより、制御部１０１は、中間排出装置２００、後処理付き排出装置３００及び中綴じ処理装置４００のうち何れか一つの装置から送られてくる識別データに対して記憶部１０３における不揮発性メモリに予め格納されている装置情報を参照することによって、中間排出装置２００、後処理付き排出装置３００及び中綴じ処理装置４００の何れが連結されているか否かを検出（認識）することができる。また、制御部１０１は、中間排出装置２００、後処理付き排出装置３００及び中綴じ処理装置４００のうち、連結されている装置から送られてくる識別データに対して記憶部１０３における不揮発性メモリに予め格納されている装置情報を参照することによって、中間排出装置２００、後処理付き排出装置３００及び中綴じ処理装置４００のうち、連結されている装置が後処理設定無しの設定のときに後処理を行わない記録シートＰを外部に排出する排出搬送路が存在しない構成とされているか否かを検出することができる。
【００５７】
例えば、制御部１０１は、中間排出装置２００を、後処理設定無しの設定のときに後処理を行わない記録シートＰを外部に排出する排出搬送路が存在する排出装置として検出する。
【００５８】
また、制御部１０１は、中綴じ処理装置４００を、後処理設定無しの設定のときに後処理を行わない記録シートＰを外部に排出する排出搬送路が存在しない後処理装置として検出する。
【００５９】
また、後処理付き排出装置３００は、中綴じ処理装置４００を連結していない状態では、排出搬送路３３０は、後処理設定無しの設定のときに後処理を行わない記録シートＰを外部に排出する排出搬送路の機能を有しているが、中綴じ処理装置４００を連結することで、排出搬送路３３０は、後処理設定無しの設定のときに後処理を行わない記録シートＰを外部に排出する排出搬送路の機能に代えて、画像形成装置１００から中綴じ処理装置４００に記録シートＰを搬送する中継搬送路の機能を有することになる。このため、制御部１０１は、後処理付き排出装置３００に中綴じ処理装置４００が連結されている状態では、後処理設定無しの設定のときに後処理を行わない記録シートＰを外部に排出する排出搬送路が存在しない排出装置（第２排出装置）として検出する一方、後処理付き排出装置３００に中綴じ処理装置４００が連結されていない状態では、後処理設定無しの設定のときに後処理を行わない記録シートＰを外部に排出する排出搬送路が存在する後処理装置として検出する。
【００６０】
なお、図３に示す画像形成システムＡのシステムブロック図において、付している参照符号のうち、説明していない参照符号の箇所については、後述する。
【００６１】
−中間排出装置−
図４は、図２（ａ）に示す画像形成システムＡにおける中間排出装置２００の概略構成を模式的に示す断面図である。
【００６２】
本実施の形態では、中間排出装置２００は、図４に示すように、記録シートＰが搬入される主搬送路２１０と、主搬送路２１０から分岐して記録シートＰを中綴じ処理装置４００（図２（ａ）参照）に中継搬送する中継搬送路２２０と、主搬送路２１０から分岐して記録シートＰを外部に排出する排出搬送路２３０と、主搬送路２１０からの記録シートＰの中継搬送路２２０への搬送及び主搬送路２１０からの記録シートＰの排出搬送路２３０への搬送を選択的に切り替える切替部２４０（いわゆる切替ゲート）と、記録シートＰを搬送させる搬送部２５０を備えている。
【００６３】
主搬送路２１０は、記録シートＰの搬送方向Ｘにおいて上流側端のシート搬入口２１０ａが中間排出装置２００の上流側に連結された装置のシート出口、ここでは、画像形成装置１００におけるシート排出部１８０のシート排出口１８０ａ（図２（ａ）参照）に連通し、かつ、下流側端のシート搬出口２１０ｂが中継搬送路２２０及び排出搬送路２３０との分岐部α１に臨んでいる。ここでは、主搬送路２１０は、水平又は略水平に形成されている。
【００６４】
中継搬送路２２０は、搬送方向Ｘにおいて上流側端のシート搬入口２２０ａが分岐部α１に臨み、かつ、下流側端がシート搬出口２２０ｂとされている。ここでは、中継搬送路２２０は、主搬送路２１０からの記録シートＰを斜め下流側下方に搬送する第１搬送路２２１と、第１搬送路２２１からの記録シートＰを水平又は略水平に搬送する第２搬送路２２２と、第２搬送路２２２からの記録シートＰを斜め下流側上方に搬送する第３搬送路２２３とを備えている。
【００６５】
排出搬送路２３０は、搬送方向Ｘにおいて上流側端のシート搬入口２３０ａが分岐部α１に臨み、かつ、下流側端がシート排出口２３０ｂとされている。ここでは、排出搬送路２３０は、水平又は略水平に形成されている。
【００６６】
切替部２４０は、主搬送路２１０からの記録シートＰを中継搬送路２２０へ搬送する第１姿勢（図４の実線参照）と、主搬送路２１０からの記録シートＰを排出搬送路２３０へ搬送する第２姿勢（図４の鎖線参照）とをとる分岐爪２４１を備えている。切替部２４０は、副制御部２０１（図３参照）の出力系に電気的に接続されており、画像形成装置１００における制御部１０１から副制御部２０１を介して送られてくる指示信号により分岐爪２４１が作動制御されるようになっている。
【００６７】
搬送部２５０は、中継搬送路２２０上の記録シートＰを搬送方向Ｘへ搬送させる複数の搬送ローラ２５１，２５２と、排出搬送路２３０上の記録シートＰを外部に排出させる排出ローラ２５３と、搬送ローラ２５１，２５２及び排出ローラ２５３を回転駆動する回転駆動部２５４（図３参照）とを備えている。搬送ローラ２５１，２５２は、第２搬送路２２２上に配設されている。排出ローラ２５３は、排出搬送路２３０の搬送方向Ｘにおける下流側の近傍に配設されている。回転駆動部２５４は、副制御部２０１（図３参照）の出力系に電気的に接続されており、画像形成装置１００における制御部１０１から副制御部２０１を介して送られてくる指示信号により搬送ローラ２５１，２５２及び排出ローラ２５３が作動制御されるようになっている。
【００６８】
かかる構成を備えることにより、画像形成装置１００は、副制御部２０１を介した制御部１０１からの指示の下、主搬送路２１０からの記録シートＰを、中継搬送路２２０を介して中綴じ処理装置４００へ搬送させるか、或いは、排出搬送路２３０を介して外部に排出させることができる。
【００６９】
中間排出装置２００は、排出ローラ２５３にて排出された記録シートＰを載置する排出トレイ２６０をさらに備えている。排出トレイ２６０は、排出搬送路２３０の搬送方向Ｘにおける下流側における排出ローラ２５３の近傍に配設されている。
【００７０】
以上説明した中間排出装置２００（図２（ａ）参照）では、後述するように、中綴じ処理を行わない設定である中綴じ処理設定無しの設定がなされている場合には、切替部２４０の分岐爪２４１を第１姿勢（図４の鎖線参照）に切り替えて画像形成装置１００から搬送されてきた記録シートＰを排出トレイ２６０に排出させる一方、中綴じ処理を行う設定である中綴じ処理設定有りの設定がなされている場合には、切替部２４０の分岐爪２４１を第２姿勢（図４の実線参照）に切り替えて画像形成装置１００から搬送されてきた記録シートＰを中綴じ処理装置４００に搬送させる。
【００７１】
−後処理付き排出装置−
図５は、図１及び図２（ｂ）に示す画像形成システムＡにおける後処理付き排出装置３００の概略構成を模式的に示す断面図である。
【００７２】
本実施の形態では、後処理付き排出装置３００は、図５に示すように、ステープル処理装置３１０と、記録シートＰが搬入される主搬送路３２０と、主搬送路３２０から分岐した排出搬送路３３０と、主搬送路３２０から分岐して記録シートＰをステープル処理装置３１０に搬送する分岐搬送路３４０と、主搬送路３２０からの記録シートＰの排出搬送路３３０への搬送及び主搬送路３２０からの記録シートＰの分岐搬送路３４０への搬送を選択的に切り替える切替部３５０（いわゆる切替ゲート）と、記録シートＰを搬送させる搬送部３６０とを備えている。
【００７３】
ステープル処理装置３１０は、記録シートＰの束を積載するステープルトレイ３１１と、ステープルトレイ３１１に積載された記録シートＰの束に対してステープル処理を行うステープル部３１２と、ステープル部３１２により記録シートＰの束がステープル処理される際にステープル針を受ける受け部３１３とを備えている。
【００７４】
ステープルトレイ３１１は、分岐搬送路３４０の搬送方向Ｘにおける下流側の近傍に配設されている。
【００７５】
ステープル部３１２は、ステープルトレイ３１１を間にして一方側（ここでは下側）に設けられている。受け部３１３は、ステープルトレイ３１１を間にして他方側（ここでは上側）のステープル部３１２と対向する位置に設けられている。
【００７６】
そして、ステープル部３１２は、記録シートＰの束のコーナー部分（具体的には左右何れかのコーナー部分）及び片側のサイド部分を綴じるようになっている。なお、図示を省略したが、ステープルトレイ３１１においてステープル処理する部分は開放されている。
【００７７】
主搬送路３２０は、搬送方向Ｘにおいて上流側端のシート搬入口３２０ａが後処理付き排出装置３００の上流側に連結された装置のシート出口、ここでは、画像形成装置１００におけるシート排出部１８０のシート排出口１８０ａ（図１（ａ）、図１（ｂ）及び図２（ｂ）参照）に連通し、かつ、下流側端のシート搬出口３２０ｂが排出搬送路３３０及び分岐搬送路３４０との分岐部α２に臨んでいる。ここでは、主搬送路３２０は、水平又は略水平に形成されている。
【００７８】
排出搬送路３３０は、搬送方向Ｘにおいて上流側端のシート搬入口３３０ａが分岐部α２に臨み、かつ、下流側端がシート搬出口３３０ｂとされている。ここでは、排出搬送路３３０は、水平又は略水平に形成されている。
【００７９】
本実施の形態では、排出搬送路３３０は、後処理付き排出装置３００に中綴じ処理装置４００が連結されていない状態（図１（ｂ）及び図２（ｂ）参照）では、主搬送路３２０からの記録シートＰを外部に排出する排出搬送路として機能し、後処理付き排出装置３００に中綴じ処理装置４００が連結されている状態（図１（ａ）参照）では、主搬送路３２０からの記録シートＰを中綴じ処理装置４００に中継搬送する中継搬送路として機能するようになっている。
【００８０】
分岐搬送路３４０は、搬送方向Ｘにおいて上流側端のシート搬入口３４０ａが分岐部α２に臨み、かつ、下流側端のシート搬出口３４０ｂがステープル処理装置３１０におけるステープルトレイ３１１の上流側端に臨んでいる。ここでは、分岐搬送路３４０は、主搬送路３２０からの記録シートＰを斜め下流側下方に搬送する第１搬送路３４１と、第１搬送路３４１からの記録シートＰを水平又は略水平に搬送する第２搬送路３４２とを備えている。
【００８１】
切替部３５０は、主搬送路３２０からの記録シートＰを排出搬送路３３０へ搬送する第１姿勢（図５の鎖線参照）と、主搬送路３２０からの記録シートＰを分岐搬送路３４０へ搬送する第２姿勢（図５の実線参照）とをとる分岐爪３５１を備えている。切替部３５０は、副制御部３０１（図３参照）の出力系に電気的に接続されており、画像形成装置１００における制御部１０１から副制御部３０１を介して送られてくる指示信号により分岐爪３５１が作動制御されるようになっている。
【００８２】
搬送部３６０は、排出搬送路３３０上の記録シートＰを搬送方向Ｘへ搬送させる複数の搬送ローラ３６１，３６２と、分岐搬送路３４０に案内されて搬送されてくる記録シートＰをステープル処理装置３１０に搬送する搬送ローラ３６３と、ステープル処理装置３１０におけるステープルトレイ３１１上のステープル処理された記録シートＰの束を搬送方向Ｘへ搬送させる複数の搬送ローラ３６４，３６５と、複数の搬送ローラ３６４，３６５にて搬送されてきた記録シートの束を、シート排出口３１０ａを介して外部に排出させる排出ローラ３６６と、搬送ローラ３６１〜３６５及び排出ローラ３６６を回転駆動する回転駆動部３６７（図３参照）とを備えている。搬送ローラ３６１，３６２は、排出搬送路３３０上に配設されている。搬送ローラ３６３は、搬送方向Ｘにおいてステープル処理装置３１０の上流側かつ分岐搬送路３４０の下流側の近傍に配設されている。搬送ローラ３６４，３６５は、ステープル処理装置３１０におけるステープルトレイ３１１上に配設されている。排出ローラ３６６は、搬送方向Ｘにおいてシート排出口３１０ａの上流側かつステープルトレイ３１１の下流側の近傍に配設されている。回転駆動部３６７は、副制御部３０１（図３参照）の出力系に電気的に接続されており、画像形成装置１００における制御部１０１から副制御部３０１を介して送られてくる指示信号により搬送ローラ３６１〜３６５及び排出ローラ３６６が作動制御されるようになっている。
【００８３】
かかる構成を備えることにより、画像形成装置１００は、副制御部３０１を介した制御部１０１からの指示の下、主搬送路３２０からの記録シートＰを、排出搬送路３３０を介して外部に排出又は中綴じ処理装置４００へ搬送させるか、或いは、分岐搬送路３４０を介してステープル処理装置３１０への搬送させることができる。
【００８４】
後処理付き排出装置３００は、排出ローラ３６６にて排出された記録シートＰを載置するシート排出装置３７０をさらに備えている。
【００８５】
シート排出装置３７０は、排出トレイ３７１を備え、記録シートＰを排出する基準位置（ここではシート搬出口３３０ｂ及びシート排出口３１０ａに対応する位置）と、中綴じ処理装置４００に連結可能な位置に退避する退避位置（ここではシート搬出口３３０ｂ及びシート排出口３１０ａよりも下方の位置）との間で排出トレイ３７１を移動させる構成とされている。なお、図５では、排出トレイ３７１が退避位置に位置している状態を示している。
【００８６】
具体的には、シート排出装置３７０は、排出トレイ３７１を上下方向Ｚに往復移動させる移動機構３７２と、移動機構３７２を駆動する移動駆動部３７３（図３参照）とをさらに備えている。排出トレイ３７１は、上下方向Ｚに間隔をおいて配設された複数の排出トレイ３７１，３７１とされている。移動機構３７２は、基準位置と退避位置との間で排出トレイ３７１，３７１を移動させる機能に加えて、排出トレイ３７１，３７１に積載される記録シートＰの積載量又は記録シートＰの束の積載量が多くなるに従って排出トレイ３７１，３７１を下方へ移動させる機能も有している。移動駆動部３７３は、副制御部３０１（図３参照）の出力系に電気的に接続されており、画像形成装置１００における制御部１０１から副制御部３０１を介して送られてくる指示信号により移動機構３７２が作動制御されるようになっている。
【００８７】
以上説明した後処理付き排出装置３００（図１（ａ）、図１（ｂ）及び図２（ｂ）参照）では、中綴じ処理装置４００が連結されている場合（図１（ａ）参照）と、中綴じ処理装置４００が連結されていない場合（図１（ｂ）及び図２（ｂ）参照）とで次のように動作する。
【００８８】
（中綴じ処理装置が連結されている場合）
後処理付き排出装置３００では、中綴じ処理装置４００が連結されている場合には、切替部３５０の分岐爪３５１を第１姿勢（図５の鎖線参照）に切り替えて画像形成装置１００から搬送されてきた記録シートＰを中綴じ処理装置４００に搬送させる。
【００８９】
（中綴じ処理装置が連結されていない場合）
後処理付き排出装置３００では、中綴じ処理装置４００が連結されていない場合において、ステープル処理を行わない設定であるステープル処理設定無しの設定がなされている場合には、切替部３５０の分岐爪３５１を第１姿勢（図５の鎖線参照）に切り替えて画像形成装置１００から搬送されてきた記録シートＰを排出トレイ３７１に排出させる。一方、ステープル処理を行う設定であるステープル処理設定有りの設定がなされている場合には、切替部３５０の分岐爪３５１を第２姿勢（図５の実線参照）に切り替えて画像形成装置１００から搬送されてきた記録シートＰをステープル処理装置３１０におけるステープルトレイ３１１に載置する。ステープルトレイ３１１上に記録シートＰが積載されると、ステープル部３１２を作動させて、ステープルトレイ３１１に積載された記録シートＰの束に対してステープル処理を行った後、ステープル処理された記録シートＰの束を排出トレイ３７１，３７１に排出させる。このとき、排出トレイ３７１，３７１への記録シートＰの排出枚数又は記録シートＰの排出束数が増大するにつれて排出トレイ３７１，３７１上に積み重なった記録シートＰの排出又は記録シートＰの束の排出を妨げないように移動駆動部３７３によって排出トレイ３７１，３７１を下降させる。
【００９０】
−中綴じ処理装置−
図６は、図１及び図２（ａ）に示す画像形成システムＡにおける中綴じ処理装置４００の概略構成を模式的に示す断面図である。また、図７は、中綴じ処理装置４００の折り処理装置４２０における折り処理部４２１を模式的に示す断面図である。図７（ａ）は、折り部材４２１２ａが退避位置に位置している状態を示しており、図７（ｂ）は、折り部材４２１２ａが押し込み位置に位置している状態を示している。
【００９１】
本実施の形態では、中綴じ処理装置４００は、図６に示すように、ステープル処理装置４１０と、折り処理装置４２０（図７参照）と、記録シートＰが搬入されてステープル処理装置４１０に向けて記録シートＰを搬送する第１搬送路４３０と、ステープル処理装置４１０からの記録シートＰを折り処理装置４２０に搬送する第２搬送路４４０と、記録シートＰを搬送させる搬送部４５０とを備えている。
【００９２】
ステープル処理装置４１０は、第１搬送路４３０からの記録シートＰを積載するステープルトレイ４１１と、ステープルトレイ４１１に積載された記録シートＰの束に対してステープル処理を行うステープル部４１２と、ステープル部４１２により記録シートＰの束がステープル処理される際にステープル針を受ける受け部４１３とを備えている。
【００９３】
ステープルトレイ４１１は、第１搬送路４３０の搬送方向Ｘにおける下流側の近傍に配設されている。
【００９４】
ステープル部４１２は、ステープルトレイ４１１を間にして一方側（ここでは下側）に設けられている。受け部４１３は、ステープルトレイ４１１を間にして他方側（ここでは上側）のステープル部４１２と対向する位置に設けられている。
【００９５】
そして、ステープル部４１２は、記録シートＰの束を半分にした中央部の中央線に沿って綴じるようになっている。なお、図示を省略したが、ステープルトレイ４１１においてステープル処理する部分は開放されている。
【００９６】
折り処理装置４２０は、ステープル処理装置４１０でステープル処理された記録シートＰの束を半分に折る折り処理を行うものである。折り処理装置４２０は、折り処理部４２１（図７参照）と、裁断処理部４２２とを備えている。
【００９７】
折り処理部４２１は、ステープル処理装置４１０にてステープル処理された記録シートＰの束を一時的に貯留する折り処理トレイ４２１１と、折り処理トレイ４２１１に貯留されている記録シートＰの束の搬送方向Ｘにおける中央部を境に半分に折る折り機構４２１２と、折り機構４２１２にて半分に折られた記録シートＰの束を、折り部分を先頭に挟持しつつ圧迫して裁断処理部４２２に搬送する折り処理ローラ４２１３と、折り処理ローラ４２１３を回転駆動する折り駆動部４２１４（図３参照）とを備えている。
【００９８】
折り処理トレイ４２１１は、搬送方向Ｘにおいて上流側端が第２搬送路４４０の下流側の近傍に位置するように斜め方向に傾斜しており、下流側端には記録シートＰの束の下方への移動を規制する規制部４２１１ａが設けられている。
【００９９】
折り機構４２１２は、折り処理トレイ４２１１を間にして一方側において搬送方向Ｘにおける略中央部（搬送方向Ｘにおける記録シートＰの束の中央部に対応する位置）に配設された折り部材４２１２ａを有している。折り部材４２１２ａは、搬送方向Ｘに直交する記録シートＰの幅方向に沿って延び、かつ、先端が尖った尖鋭状（具体的には断面視で三角形状）の部材とされている。そして、折り機構４２１２は、折り処理トレイ４２１１に貯留された記録シートＰの束を間にして折り部材４２１２ａを退避位置（図７（ａ）参照）から折り部材４２１２ａの先端部が記録シートＰの束の中央部を押し当てて折り処理ローラ４２１３のニップ部に向けて押し込む押し込み位置（図７（ｂ）参照）に移動させる一方、押し込み位置から折り部材４２１２ａを退避させる退避位置（図７（ａ）参照）に移動させるようになっている。折り機構４２１２は、副制御部４０１（図３参照）の出力系に電気的に接続されており、画像形成装置１００における制御部１０１から副制御部４０１を介して送られてくる指示信号により折り部材４２１２ａが作動制御されるようになっている。なお、図７に示すように（図６では図示省略）、折り処理トレイ４２１１において折り部材４２１２ａの先端部が通過する部分４２１１ｂは開放されている。
【０１００】
折り処理ローラ４２１３は、折り処理トレイ４２１１を間にして折り機構４２１２における折り部材４２１２ａとは反対側の折り部材４２１２ａに対応する位置において折り処理トレイ４２１１と裁断処理部４２２との間に配設されている。折り駆動部４２１４は、副制御部４０１（図３参照）の出力系に電気的に接続されており、画像形成装置１００における制御部１０１から副制御部４０１を介して送られてくる指示信号により折り処理ローラ４２１３が作動制御されるようになっている。
【０１０１】
裁断処理部４２２は、折り処理装置４２０にて折り処理された記録シートＰの束を一時的に載置する裁断トレイ４２２１と、裁断トレイ４２２１に載置されている記録シートＰの束を位置決めする位置決め機構４２２２と、位置決め機構４２２２にて位置決めされている記録シートＰの束の搬送方向Ｘにおける上流側端部を裁断（具体的には折り処理により不揃いとなった端部を揃えるために裁断）する裁断機構４２２３とを備えている。
【０１０２】
裁断トレイ４２２１は、搬送方向Ｘにおいて上流側端が折り処理装置４２０の折り処理部４２１における折り処理ローラ４２１３の下流側の近傍に臨み、かつ、下流側端が折り処理装置４２０のシート排出口４２０ａに臨んでいる。ここでは、裁断トレイ４２２１は、水平又は略水平に配設されている。
【０１０３】
位置決め機構４２２２は、搬送方向Ｘにおける記録シートＰの束の下流側端部が搬送方向Ｘへ移動することを規制して予め定めた所定位置に位置決めする位置決め部４２２２ａを有している。位置決め部４２２２ａは、搬送方向Ｘに直交する記録シートＰの幅方向に沿って延びた部材とされている。そして、位置決め機構４２２２は、裁断トレイ４２２１に載置された記録シートＰの束の下流側端部が搬送方向Ｘへ移動することを規制するために、退避位置（図６の破線参照）から位置決め部４２２２ａの先端部を裁断トレイ４２２１に設けられた開口４２２１ａに通過させて上下方向の一方向（ここでは上方）に突出させることで位置決め位置（図６の実線参照）に移動させる一方、位置決め位置から位置決め部４２２２ａを退避させる退避位置（図６の破線参照）に移動させるようになっている。位置決め機構４２２２は、副制御部４０１（図３参照）の出力系に電気的に接続されており、画像形成装置１００における制御部１０１から副制御部４０１を介して送られてくる指示信号により位置決め部４２２２ａが作動制御されるようになっている。なお、位置決め部４２２２ａが退避位置（図６の破線参照）に位置しているときに、裁断機構４２２３にて裁断された記録シートＰの束を搬送方向Ｘに搬送させることができる。
【０１０４】
裁断機構４２２３は、裁断トレイ４２２１を間にして一方側において搬送方向Ｘにおける上流側端部（位置決めされた記録シートＰの束の搬送方向Ｘにおける上流側端部に対応する位置）に配設された切断部４２２３ａを有している。切断部４２２３ａは、搬送方向Ｘに直交する記録シートＰの幅方向に沿って延び、かつ、先端に切断刃を有している。そして、裁断機構４２２３は、裁断トレイ４２２１に載置されて位置決めされた記録シートＰの束を間にして切断部４２２３ａを退避位置（図６の実線参照）から切断刃が記録シートＰの束の上流側端部を切断する切断位置（図６の破線参照）へ上下方向の一方向（ここでは下方）に向けて移動させる一方、切断位置から切断部４２２３ａを退避させる退避位置（図６の実線参照）に移動させるようになっている。また、裁断機構４２２３は、搬送方向Ｘの上流側及び下流側における裁断位置を調整可能なように、切断部４２２３ａを搬送方向Ｘの上流側及び下流側に沿って移動させる調整機構を有している。裁断機構４２２３は、副制御部４０１（図３参照）の出力系に電気的に接続されており、画像形成装置１００における制御部１０１から副制御部４０１を介して送られてくる指示信号により切断部４２２３ａが作動制御されるようになっている。
【０１０５】
第１搬送路４３０は、搬送方向Ｘにおいて上流側端のシート搬入口４３０ａが中綴じ処理装置４００の上流側に連結された装置のシート出口、ここでは、後処理付き排出装置３００における排出搬送路３３０におけるシート搬出口３３０ｂ（図１（ａ）参照）、又は、中間排出装置２００における中継搬送路２２０のシート搬出口２２０ｂ（図２（ａ）参照）に連通し、かつ、下流側端のシート搬出口４３０ｂがステープル処理装置４１０に臨んでいる。ここでは、第１搬送路４３０は、水平又は略水平に形成されている。
【０１０６】
第２搬送路４４０は、搬送方向Ｘにおいて上流側端のシート搬入口４４０ａがステープル処理装置４１０におけるステープルトレイ４１１の一方側端（ここでは第１搬送路４３０側）に臨み、かつ、下流側端のシート搬出口４４０ｂが折り処理装置４２０における折り処理トレイ４２１１の上流側端（上端）に連通している。ここでは、第２搬送路４４０は、ステープルトレイ４１１から折り処理トレイ４２１１に向けて斜め下方に湾曲している。
【０１０７】
搬送部４５０は、第１搬送路４３０上の記録シートＰをステープル処理装置４１０に搬送させる搬送ローラ４５１と、ステープル処理装置４１０におけるステープルトレイ４１１上の記録シートＰを第２搬送路４４０に向けて搬送させる複数の搬送ローラ４５２，４５３と、第２搬送路４４０に案内されて搬送されてくる記録シートＰを折り処理装置４２０の折り処理部４２１における折り処理トレイ４２１１に搬送する搬送ローラ４５４と、折り処理装置４２０の裁断処理部４２３における裁断トレイ４２２１上の裁断処理された記録シートＰの束をシート排出口４２０ａに排出させる複数の排出ローラ４５５，４５６と、搬送ローラ４５１〜４５４及び排出ローラ４５５，４５６を回転駆動する回転駆動部４５７（図３参照）とを備えている。搬送ローラ４５１は、第１搬送路４３０の搬送方向Ｘにおける下流側の近傍に配設されている。搬送ローラ４５２，４５３は、ステープル処理装置４１０におけるステープルトレイ４１１上に配設されている。搬送ローラ４５４は、搬送方向Ｘにおいて第２搬送路４４０の下流側の近傍かつ折り処理装置４２０の折り処理部４２１における折り処理トレイ４２１１の上流側の近傍に配設されている。排出ローラ４５５，４５６は、折り処理装置４２０の裁断処理部４２２における裁断トレイ４２２１上に配設されている。回転駆動部４５７は、副制御部４０１（図３参照）の出力系に電気的に接続されており、画像形成装置１００における制御部１０１から副制御部４０１を介して送られてくる指示信号により搬送ローラ４５１〜４５４及び排出ローラ４５５，４５６が作動制御されるようになっている。
【０１０８】
後処理付き排出装置３００は、排出ローラ４５５，４５６にて排出された記録シートＰを載置する排出トレイ４６０をさらに備えている。
【０１０９】
以上説明した中綴じ処理装置４００では、先ず、後述するように、中綴じ処理設定有りの設定がなされている場合には、後処理付き排出装置３００（図１（ａ）参照）又は中間排出装置２００（図２（ａ）参照）を介して画像形成装置１００から搬送されてきた記録シートＰをステープル処理装置４１０に搬送させ、ステープル処理装置４１０におけるステープルトレイ４１１に載置する。
【０１１０】
次に、ステープル部４１２を作動させて、ステープルトレイ４１１に積載された記録シートＰの束に対してステープル処理を行った後、折り処理装置４２０の折り処理部４２１における折り処理トレイ４２１１に搬送させ、折り処理トレイ４２１１に一時的に貯留させる。
【０１１１】
次に、折り処理トレイ４２１１に貯留されている記録シートＰの束に対して折り処理を行った後、折り処理装置４２０の裁断処理部４２２における裁断トレイ４２２１に搬送させ、裁断トレイ４２２１に一時的に載置して記録シートＰの束を位置決め機構４２２２における位置決め部４２２２ａにて位置決めする。
【０１１２】
そして、裁断トレイ４２２１に載置されて位置決め部４２２２ａにて位置決めされた記録シートＰの束に対して裁断機構４２２３における切断部４２２３ａにて裁断処理を行った後、排出トレイ４６０に排出させる。
【０１１３】
このようにして、記録シートＰの束に対する中綴じ処理がなされるのであるが、次に、中綴じ処理される場合での画像データにおける画像のページ数と記録シートＰの枚数との関係について図８を参照しながら説明する。
【０１１４】
図８は、中綴じ処理される場合での画像データにおける画像のページ数と記録シートＰの枚数との関係を説明するための模式図である。
【０１１５】
図８に示すように、例えば、画像データにおける画像のページが１ページ目からｎページ目（例えばｎは４の倍数）までとし、１枚の記録シートＰの両面に、縮小した２ページ分の画像をそれぞれ形成する（いわゆる２ＵＰ両面の）画像形成処理を行う場合、１枚目の記録シートＰにおける一方の面（表面）の片側半分の画像領域Ｐａ、他方の面（裏面）の画像領域Ｐａに対応する片側半分の画像領域Ｐｂ、他方の面（裏面）のもう片側半分の画像領域Ｐｃ、一方の面（表面）の画像領域Ｐｃに対応するもう片側半分の画像領域Ｐｄには、それぞれ、１ページ目、２ページ目、（ｎ−１）ページ目、ｎページ目が画像形成される。２枚目の記録シートＰの画像領域Ｐａ，Ｐｂ，Ｐｃ，Ｐｄには、それぞれ、３ページ目、４ページ目、（ｎ−３）ページ目、（ｎ−２）ページ目が画像形成される。以下同様にして、（ｎ／４）枚目の記録シートＰの画像領域Ｐａ，Ｐｂ，Ｐｃ，Ｐｄには、それぞれ、（ｎ／２−１）ページ目、（ｎ／２）ページ目、（ｎ／２＋１）ページ目、（ｎ／２＋２）ページ目が画像形成される。
【０１１６】
（制御部の制御構成について）
次に、画像形成装置１００における制御部１０１の制御構成について図９から図１９を参照しながら以下に説明する。
【０１１７】
図９は、図３に示す画像形成装置１００における制御部１０１の制御構成を模式的に示すブロック図である。
【０１１８】
図９に示すように、制御部１０１は、記録シートＰに対して画像形成処理を行う画像形成処理手段Ｍ１と、予め定めた複数のジョブ処理に関するジョブ処理情報を表示部１４１の表示画面Ｇに表示させる表示制御手段Ｍ２とを備えている。なお、図９に示す制御部１０１において、付している参照符号のうち、説明していない参照符号の構成要素については、後述する。
【０１１９】
図１０は、画像形成装置１００を立ち上げたときの表示部１４１の表示画面Ｇに表示される初期画面Ｇ１の一例を示す正面図である。また、図１１は、図１０に示す初期画面Ｇ１に対して利用者により「コピー」ボタンＢＴ１が選択操作されたときの表示部１４１の表示画面Ｇに表示されるコピー処理画面Ｇ２の一例を示す正面図である。
【０１２０】
表示制御手段Ｍ２は、図１０に示すように、コピー機能を実行するための「コピー」ボタンＢＴ１と、プリンタ機能を実行するための「プリンタ」ボタンＢＴ２と、スキャナ機能を実行するための「スキャナ」ボタンＢＴ３と、ファクシミリ機能を実行するための「ファクシミリ」ボタンＢＴ４と、ジョブ設定を実行するための「設定」ボタンＢＴ５とを選択操作可能に操作表示部１４０における表示部１４１の表示画面Ｇにおいて初期画面Ｇ１として表示するようになっている。
【０１２１】
そして、コピー機能が実行されるにあたり、初期画面Ｇ１に対して利用者により「コピー」ボタンＢＴ１が選択操作されると、図１１に示すコピー処理画面Ｇ２が表示画面Ｇに表示され、利用者によって各種コピー条件が設定された後、「スタート」ボタンＢＴ６がタッチ操作されることにより、画像形成処理手段Ｍ１による画像形成処理が開始され、コピー動作が実行される。
【０１２２】
なお、図示を省略したが、プリンタ機能、スキャナ機能及びファクシミリ機能が実行される場合についても、コピー機能と同様に、プリンタ画面、スキャナ画面及びファクシミリ画面が表示され、各動作が実行される。
【０１２３】
一方、ジョブの実行に先立って設定機能が実行されるときは、初期画面Ｇ１（図１０参照）に対して利用者により「設定」ボタンＢＴ５が選択操作されると、後述する図１２及び図１３に示す設定画面Ｇ３が表示される。
【０１２４】
そして、制御部１０１は、後処理装置（ここでは中綴じ処理装置４００）が画像形成装置１００に対して連結状態である場合に、後処理設定無し（ここでは中綴じ処理設定無し）とすることを禁止する設定制御手段Ｍ３（図９参照）をさらに備えている。
【０１２５】
ここで、後処理装置が画像形成装置１００に対して連結状態である場合としては、後処理設定無しの設定のときに後処理を行わない記録シートＰを外部に排出する排出搬送路が存在しない後処理装置が画像形成装置１００に直接的に連結状態である場合、後処理設定無しの設定のときに後処理を行わない記録シートＰを外部に排出する排出搬送路が存在しない後処理装置が記録シートＰを後処理装置に向けて排出する１又は複数の排出装置を介して画像形成装置１００に間接的に連結されている状態である場合であって、前記１又は複数の排出装置において後処理を行わない記録シートＰを外部に排出する排出搬送路が存在する排出装置（第１排出装置、例えば、排出搬送路２３０が存在する中間排出装置２００）を含まない場合、若しくは、前記１又は複数の排出装置において前記排出搬送路が存在しない排出装置（第２排出装置、例えば、排出搬送路３３０が中継搬送路として機能する後処理付き排出装置３００）のみの場合（図１（ａ）参照）を例示できる。
【０１２６】
また、本実施の形態では、設定制御手段Ｍ３は、さらに、後処理装置（ここでは中綴じ処理装置４００）が画像形成装置１００に対して連結状態である場合であって、前記１又は複数の排出装置において前記排出搬送路が存在する排出装置（ここでは、排出搬送路２３０が存在する中間排出装置２００）を含む場合か（図２（ａ）参照）、或いは、後処理装置（ここでは中綴じ処理装置４００）が画像形成装置１００に対して連結されていない状態である場合に（図１（ｂ）、図２（ｂ）参照）、後処理設定無し（ここでは中綴じ処理設定無し）とすることを許可する構成とされている。
【０１２７】
また、本実施の形態では、設定制御手段Ｍ３は、さらに、後処理装置（ここでは中綴じ処理装置４００）が画像形成装置１００に対して連結状態である場合であって、前記１又は複数の排出装置において前記排出搬送路が存在する排出装置（ここでは排出搬送路２３０が存在する中間排出装置２００）を含む場合に（図２（ａ）参照）、後処理設定無し（ここでは中綴じ処理設定無し）の禁止を解除して、後処理設定有り（ここでは中綴じ処理設定有り）の設定と後処理設定無しの設定とのうち何れか一方を選択的に設定可能な構成とされている。
【０１２８】
図１２は、図１０に示す初期画面Ｇ１に対して利用者により「設定」ボタンＢＴ５が選択操作されたときの表示部１４１の表示画面Ｇに表示される設定画面Ｇ３の一例を示す正面図であって、図１（ａ）に示す連結状態Ｉの場合での設定画面Ｇ３を示している。
【０１２９】
図１３は、図１０に示す初期画面Ｇ１に対して利用者により「設定」ボタンＢＴ５が選択操作されたときの表示部１４１の表示画面Ｇに表示される設定画面Ｇ３の他の例を示す正面図である。図１３（ａ）は、図２（ａ）に示す連結状態IIIの場合での設定画面Ｇ３を示しており、図１３（ｂ）は、図１（ｂ）及び図２（ｂ）に示す連結状態II，IVの場合での設定画面Ｇ３を示している。
【０１３０】
また、図１４は、後処理装置４００が画像形成装置１００に対して連結状態である場合に、後処理設定無しとすることを禁止する制御例を示すフローチャートである。
【０１３１】
図１４に示す制御例では、先ず、制御部１０１は、利用者による後処理の設定操作を受け付ける（ステップＳａ１）。具体的には、制御部１０１は、図１２及び図１３に示す表示画面Ｇの設定画面Ｇ３におけるステープルの設定項目において「中綴じ処理設定無し」ボタンＢＴ７及び「中綴じ処理設定有り」ＢＴ８を選択操作可能に表示し、利用者による「中綴じ処理設定無し」ボタンＢＴ７及び「中綴じ処理設定有り」ＢＴ８のうち何れか一方の選択操作を受け付ける。
【０１３２】
次に、制御部１０１は、設定終了か否かを判断し（ステップＳａ２）、設定終了でないときには（ステップＳａ２：Ｎｏ）、ステップＳａ３へ移行する一方、設定終了であるときには（ステップＳａ２：Ｙｅｓ）、設定処理を終了する。具体的には、制御部１０１は、「戻る」ボタンＢＴ９（図１２及び図１３参照）の選択操作を受け付けたときには、設定処理を終了する。
【０１３３】
次に、制御部１０１は、後処理装置（ここでは中綴じ処理装置４００）が画像形成装置１００に対して連結している状態である連結状態を検出したか否かを判断し（ステップＳａ３）、連結状態を検出した場合には（ステップＳａ３：Ｙｅｓ）、ステップＳａ４に移行する。
【０１３４】
次に、制御部１０１は、後処理（ここでは中綴じ処理）を行わない記録シートＰを外部に排出する排出搬送路が存在する第１排出装置（ここでは、排出搬送路２３０が存在する中間排出装置２００）を含まない連結状態を検出したか否かを判断し（ステップＳａ４）、第１排出装置を含まない連結状態を検出した場合には（ステップＳａ４：Ｙｅｓ）（図１（ａ）参照）、ステップＳａ５に移行する。
【０１３５】
次に、制御部１０１は、ステップＳａ１で受け付けた設定が後処理設定無し（ここでは中綴じ処理設定無し）の設定であるか否かを判断し（ステップＳａ５）、後処理設定無しの設定であると判断した場合（ここでは、「中綴じ処理設定無し」ボタンＢＴ７（図１２参照）を設定した場合）には（ステップＳａ５：Ｙｅｓ）、警報を発し（ステップＳａ６）、ステップＳａ１に移行する。ここで、警報としては、代表的には、設定画面Ｇ３に表示するエラー表示を例示できる。このエラー表示としては、例えば、「中綴じ処理装置を装着している状態では中綴じ処理設定無しの設定はできません。」といったメッセージ表示を挙げることができる。
【０１３６】
一方、制御部１０１は、ステップＳａ５で後処理設定無し（ここでは中綴じ処理設定無し）の設定でないと判断した場合（ここでは、「中綴じ処理設定無し」ボタンＢＴ７（図１２参照）を設定しないで「ＯＫ」ボタンＢＴ１０（図１２参照）の確定操作を受け付けた場合）には（ステップＳａ５：Ｎｏ）、後処理設定有りの設定を記憶部１０３に登録し（ステップＳａ７）、ステップＳａ１０に移行する。
【０１３７】
ここで、制御部１０１は、後処理設定無し（ここでは中綴じ処理設定無し）の禁止を解除して、後処理設定無しの表示情報（ここでは「中綴じ処理設定無し」ボタンＢＴ７）と、後処理設定有りの表示情報（ここでは「中綴じ処理設定有り」ボタンＢＴ８）とを選択可能に表示するようになっている。すなわち、制御部１０１は、ステップＳａ４で第１排出装置（ここでは中間排出装置２００）を含む連結状態を検出した場合には（ステップＳａ４：Ｎｏ）（図２（ａ）参照）、後処理設定無し（ここでは中綴じ処理設定無し）の設定であるか否かを判断し（ステップＳａ８）、後処理設定無しの設定でないと判断した場合（ここでは、「中綴じ処理設定無し」ボタンＢＴ７（図１３（ａ）参照）を設定しないで「ＯＫ」ボタンＢＴ１０（図１３（ａ）参照）の確定操作を受け付けた場合）には（ステップＳａ８：Ｎｏ）、後処理設定有りの設定を記憶部１０３に登録し（ステップＳａ７）、ステップＳａ１０に移行する。
【０１３８】
また、制御部１０１は、ステップＳａ８で後処理設定無し（ここでは中綴じ処理設定無し）の設定であると判断して設定が確定した場合（ここでは、「中綴じ処理設定無し」ボタンＢＴ７（図１３（ａ）参照）を設定して「ＯＫ」ボタンＢＴ１０（図１３（ａ）参照）の確定操作を受け付けた場合）には（ステップＳａ８：Ｙｅｓ）、後処理設定無しの設定を記憶部１０３に登録し（ステップＳａ９）、ステップＳａ１０に移行する。
【０１３９】
一方、制御部１０１は、ステップＳａ３で後処理装置（ここでは中綴じ処理装置４００）が画像形成装置１００に対して連結していない非連結状態を検出した場合には（ステップＳａ３：Ｎｏ）（図１（ｂ）及び図２（ｂ）参照）、後処理設定無し（ここでは中綴じ処理設定無し）の設定であるか否かを判断し（ステップＳａ１２）、後処理設定無しの設定であると判断して設定が確定した場合（ここでは、「中綴じ処理設定無し」ボタンＢＴ７（図１３（ｂ）参照）を設定して「ＯＫ」ボタンＢＴ１０（図１３（ｂ）参照）の確定操作を受け付けた場合）には（ステップＳａ１２：Ｙｅｓ）、後処理設定無しの設定を記憶部１０３に登録し（ステップＳａ９）、ステップＳａ１０に移行する。
【０１４０】
次に、制御部１０１は、利用者によるジョブの開始命令を示すスタート操作（「スタート」ボタンＢＴ６（図１１参照）のタッチ操作）を受け付けたか否かを判断し（ステップＳａ１０）、スタート操作を受け付けていないと判断した場合には（ステップＳａ１０：Ｎｏ）、ステップＳａ１に移行する一方、スタート操作を受け付けたと判断した場合には（ステップＳａ１０：Ｙｅｓ）、画像形成処理を行い（ステップＳａ１１）、処理を終了する。
【０１４１】
また、制御部１０１は、ステップＳａ１２で後処理設定無し（ここでは中綴じ処理設定無し）の設定でないと判断した場合（ここでは、「中綴じ処理設定無し」ボタンＢＴ７（図１３（ｂ）参照）を設定しないで「ＯＫ」ボタンＢＴ１０（図１３（ｂ）参照）の確定操作を受け付けた場合）には（ステップＳａ１２：Ｎｏ）、警報を発し（ステップＳａ１３）、ステップＳａ１に移行する。ここで、警報としては、代表的には、設定画面Ｇ３に表示するエラー表示を例示できる。このエラー表示としては、例えば、「中綴じ処理装置を装着していない状態では中綴じ処理設定有りの設定はできません。」といったメッセージ表示を挙げることができる。
【０１４２】
なお、本実施の形態の制御構成では、後処理設定無しの設定を禁止する場合（図１（ａ）参照）、及び、後処理設定有りの設定を禁止する場合（図１（ｂ）及び図２（ｂ）参照）においては、「中綴じ処理設定無し」ボタンＢＴ７（図１２）参照）、及び、「中綴じ処理設定有り」ボタンＢＴ８（図１３（ｂ）参照）を利用者がそれぞれ選択操作してもそれらを設定できないようになっているが、「中綴じ処理設定無し」ボタンＢＴ７（図１２参照）、及び、「中綴じ処理設定有り」ボタンＢＴ８（図１３（ｂ）参照）を設定画面Ｇ３に表示しないようにして、利用者が「中綴じ処理設定無し」ボタン自体の設定操作、及び、「中綴じ処理設定有り」ボタン自体の設定操作を行えないようになっていてもよい。
【０１４３】
本実施の形態によれば、後処理設定無し（ここでは中綴じ処理設定無し）の設定のときに後処理（ここでは中綴じ処理）を行わない記録シートＰを外部に排出する排出搬送路が存在しない後処理装置（ここでは中綴じ処理装置４００）が画像形成装置１００に対して連結状態である場合には、後処理を行うことが前提となるために、画像形成装置１００は、後処理装置が連結状態である場合に、設定制御手段Ｍ３により後処理設定無しとすることを禁止することで、利用者が記録シートＰに対して後処理を行わない画像形成処理を行おうとしても、後処理を行わざるを得なくなる。このため、記録シートＰに対して後処理（ここでは中綴じ処理）を行わない画像形成処理自体を行えないようにすることができ、これにより、後処理設定無し（ここでは中綴じ処理設定無し）の設定のときに後処理を行わない記録シートＰを外部に排出する排出搬送路が存在しない後処理装置（ここでは中綴じ処理装置４００）が画像形成装置１００に対して連結状態である場合でも、後処理を行わない記録シートＰに対する詰まり等の不都合を回避することが可能となる。
【０１４４】
また、本実施の形態では、画像形成装置１００により画像形成処理された記録シートＰを後処理装置（ここでは中綴じ処理装置４００）に向けて排出する前記１又は複数の排出装置（ここでは、後処理付き排出装置３００（図１（ａ）参照）、中間排出装置２００（図２（ａ）参照））を介して後処理装置を画像形成装置１００に連結可能な構成とされていることで、排出装置として作用する各種の後処理機能を有する排出装置を連結する多様な画像形成システムに対応させることができる。
【０１４５】
また、本実施の形態では、後処理装置（ここでは中綴じ処理装置４００）が画像形成装置１００に対して連結状態である場合であって、前記１又は複数の排出装置において前記排出搬送路が存在する排出装置（ここでは、排出搬送路２３０が存在する中間排出装置２００）を含む場合か（図２（ａ）参照）、或いは、後処理装置（ここでは中綴じ処理装置４００）が画像形成装置１００に対して連結されていない状態である場合に（図１（ｂ）、図２（ｂ）参照）、後処理設定無し（ここでは中綴じ処理設定無し）とすることを許可することで、記録シートＰに対して後処理装置（ここでは中綴じ処理装置４００）による後処理（ここでは中綴じ処理）を行わないで画像形成処理を行っても、該後処理を行わない記録シートＰを前記排出搬送路（ここでは、排出搬送路２３０、排出搬送路３３０）により外部に排出させることができる。
【０１４６】
また、本実施の形態では、後処理装置（ここでは中綴じ処理装置４００）が画像形成装置１００に対して連結状態である場合であって、前記１又は複数の排出装置において前記排出搬送路が存在する排出装置（第１排出装置、ここでは排出搬送路２３０が存在する中間排出装置２００）を含む場合に（図２（ａ）参照）、後処理設定無し（ここでは中綴じ処理設定無し）の禁止を解除して、後処理設定有り（ここでは中綴じ処理設定有り）の設定と後処理設定無しの設定とのうち何れか一方を選択的に設定可能とされていることで、設定制御手段Ｍ３により後処理設定無し（ここでは中綴じ処理設定無し）の禁止が解除されて後処理設定無しの設定となっていても、後処理（ここでは中綴じ処理）を行わない記録シートＰを前記排出搬送路が存在する排出装置に外部に排出することができる。
【０１４７】
ところで、後処理装置（ここでは中綴じ処理装置４００）が画像形成装置１００に対して連結状態である場合であって、前記排出搬送路が存在する排出装置を含まない場合、若しくは、前記１又は複数の排出装置において前記排出搬送路が存在しない排出装置のみの場合には、後処理（ここでは中綴じ処理）を行うことが前提となるために、記録シートＰに対して画像形成すべき画像形成処理が後処理を行う画像形成処理であることを利用者に意識させることが好ましい。
【０１４８】
この点、本実施の形態では、設定制御手段Ｍ３は、さらに、後処理（ここでは中綴じ処理）を行う設定である後処理設定有り（ここでは中綴じ処理設定有り）の設定を許可する構成とされており、画像形成処理手段Ｍ１は、さらに、後処理装置（ここでは中綴じ処理装置４００）が画像形成装置１００に対して連結状態である場合であって、前記排出搬送路が存在する排出装置（第１排出装置、ここでは排出搬送路２３０が存在する中間排出装置２００）を含まない場合、若しくは、前記１又は複数の排出装置において前記排出搬送路が存在しない排出装置（第２排出装置、ここでは排出搬送路３３０が中継搬送路として機能する後処理付き排出装置３００）のみの場合に（図１（ａ）参照）、設定制御手段Ｍ３において後処理設定有り（ここでは中綴じ処理設定有り）の設定がなされていない限り、後処理（ここでは中綴じ処理）を行う画像形成処理を禁止する構成とされている。
【０１４９】
この制御構成では、記録シートＰに対して画像形成すべき画像形成処理が後処理（ここでは中綴じ処理）を行う画像形成処理であることを利用者に確実に意識させることができる。
【０１５０】
具体的には、画像形成処理手段Ｍ１は、排出搬送路３３０が中継搬送路として機能する後処理付き排出装置３００を介して中綴じ処理装置４００が画像形成装置１００に対して連結状態である場合に（図１（ａ）参照）、設定制御手段Ｍ３において中綴じ処理設定有りの設定として利用者による「中綴じ処理設定有り」ボタンＢＴ８（図１２参照）の選択操作がなされていない限り、中綴じ処理を行う画像形成処理を禁止して、「スタート」ボタンＢＴ６（図１１参照）をタッチ操作しても画像形成処理を開始できないようになっている。
【０１５１】
ところで、ファクシミリ受信により受信したファクシミリ受信データや画像形成装置１００のステータスデータを示す画像データ等の後処理（ここでは中綴じ処理）に関与しない画像形成処理を行う動作モードは、後処理を行う必要性がないため、後処理を禁止すべき動作モードとなる。ここで、ステータス情報としては、例えば、各シート収容部１５０に収容される記録シートＰのサイズや残量、排出トレイの状態、画像形成処理の実行状態、フィニシャー装置のステープル針の残量やパンチ処理装置が連結される場合でのパンチ屑の容量情報、画像形成装置１００の温度、湿度情報等を挙げることができる。
【０１５２】
この点に関し、本実施の形態では、制御部１０１は、後処理を禁止すべき動作モードを含む複数の動作モードにより画像形成処理を行う動作モード制御手段Ｍ４（図９参照）を備えている。
【０１５３】
詳しくは、後処理を禁止すべき動作モードは、中綴じ処理禁止モードであるファクシミリ受信印刷モード及びステータス情報印刷モードを含んでおり、後処理を禁止すべき動作モードによる画像形成処理は、ファクシミリ受信により受信したファクシミリ受信データを示す画像データに基づいてファクシミリ画像を形成するファクシミリ画像形成処理と、画像形成装置１００のステータスデータを示す画像データに基づいてステータス情報画像を形成するステータス情報画像形成処理とのうち少なくとも一方（ここでは双方）を含んでいる。
【０１５４】
そして、本実施の形態では、画像形成処理手段Ｍ１は、さらに、後処理装置（ここでは中綴じ処理装置４００）が画像形成装置１００に対して連結状態である場合であって、前記排出搬送路が存在する排出装置（第１排出装置、ここでは排出搬送路２３０が存在する中間排出装置２００）を含まない場合、若しくは、前記１又は複数の排出装置において前記排出搬送路が存在しない排出装置（第２排出装置、ここでは排出搬送路３３０が中継搬送路として機能する後処理付き排出装置３００）のみの場合に（図１（ａ）参照）、動作モード制御手段Ｍ４による複数の動作モードのうち後処理（ここでは中綴じ処理）を禁止すべき動作モードによる画像形成処理を禁止する構成とされている。
【０１５５】
図１５は、動作モード制御手段Ｍ４による複数の動作モードのうち後処理を禁止すべき動作モードによる画像形成処理を禁止する制御例を示すフローチャートである。
【０１５６】
図１５に示す制御例では、先ず、制御部１０１は、印刷開始か否かを判断する（ステップＳｂ１）。具体的には、制御部１０１は、ファクシミリ受信によるファクシミリ受信印刷の開始があったか否か、又は、利用者によるジョブの開始命令を示すスタート操作（「スタート」ボタンＢＴ６（図１１参照）のタッチ操作）を受け付けたか否かを判断する。次に、制御部１０１は、印刷開始でないと判断した場合において（ステップＳｂ１：Ｎｏ）処理終了の指示命令があるまで待機し（ステップＳｂ２：Ｎｏ）、処理終了の指示命令があると（ステップＳｂ２：Ｙｅｓ）、処理を終了する。
【０１５７】
一方、制御部１０１は、ステップＳｂ１で印刷開始であると判断した場合（ステップＳｂ１：Ｙｅｓ）、後処理装置（ここでは中綴じ処理装置４００）が画像形成装置１００に対して連結している状態である連結状態を検出したか否かを判断し（ステップＳｂ３）、連結状態を検出した場合には（ステップＳｂ３：Ｙｅｓ）、ステップＳｂ４に移行する。
【０１５８】
次に、制御部１０１は、後処理（ここでは中綴じ処理）を行わない記録シートＰを外部に排出する排出搬送路が存在する第１排出装置（ここでは、排出搬送路２３０が存在する中間排出装置２００）を含まない連結状態を検出したか否かを判断し（ステップＳｂ４）、第１排出装置を含まない連結状態を検出した場合には（ステップＳｂ４：Ｙｅｓ）（図１（ａ）参照）、ステップＳｂ５に移行する。
【０１５９】
次に、制御部１０１は、複数の動作モードのうち後処理（ここでは中綴じ処理）を禁止すべき動作モードであるか否かを判断し（ステップＳｂ５）、禁止すべき動作モードであると判断した場合（ここでは、中綴じ処理禁止モードであるファクシミリ受信印刷モード又はステータス情報印刷モードである場合）には（ステップＳｂ５：Ｙｅｓ）、警報を発し（ステップＳｂ６）、ステップＳｂ１に移行する。ここで、警報としては、代表的には、設定画面Ｇ３に表示するエラー表示を例示できる。このエラー表示としては、例えば、ファクシミリ受信印刷モードの場合には「ファクシミリ受信印刷モードは実行できません。」、ステータス情報印刷モードの場合には「ステータス情報印刷モードは実行できません。」といったメッセージ表示を挙げることができる。
【０１６０】
一方、ステップＳｂ３〜Ｓｂ５で判定が否定となった場合には（ステップＳｂ３〜Ｓｂ５：Ｎｏ）、画像形成処理を行い（ステップＳｂ７）、ステップＳｂ１に移行する。
【０１６１】
このように、後処理装置（ここでは中綴じ処理装置４００）が画像形成装置１００に対して連結状態である場合に、後処理（ここでは中綴じ処理）を禁止すべき動作モードによる画像形成処理を禁止することで、後処理（ここでは中綴じ処理）を禁止すべき画像形成処理を行う動作モードに対して画像形成処理を行わないようにすることができる。詳しくは、画像形成装置１００は、後処理（ここでは中綴じ処理）を禁止すべき動作モードによる画像形成処理として、ファクシミリ画像形成処理及びステータス画像形成処理を禁止することができ、これにより、ファクシミリ受信により受信したファクシミリ受信データを示す画像データの画像形成処理や画像形成装置のステータスデータを示す画像データの画像形成処理という、後処理を禁止すべき画像形成処理を行う動作モードに対して画像形成処理を行わないようにすることができる。
【０１６２】
また、本実施の形態では、画像形成処理手段Ｍ１は、さらに、後処理装置（ここでは中綴じ処理装置４００）が画像形成装置１００に対して連結状態である場合であって、前記排出搬送路が存在する排出装置（第１排出装置、ここでは排出搬送路２３０が存在する中間排出装置２００）を含まない場合、若しくは、前記排出搬送路が存在しない排出装置（第２排出装置、ここでは排出搬送路３３０が中継搬送路として機能する後処理付き排出装置３００）のみの場合に（図１（ａ）参照）、動作モード制御手段Ｍ４による複数の動作モードのうち後処理（ここでは中綴じ処理）を禁止すべき動作モードによる画像形成処理を禁止するにあたって、後処理（ここでは中綴じ処理）を禁止すべき動作モードによる画像形成処理に用いる画像データを画像形成装置１００に設けられた記憶部１０３に一旦蓄積しておく構成とされている。画像形成処理手段Ｍ１は、さらに、後処理装置（ここでは中綴じ処理装置４００）が画像形成装置１００に対して連結されていない状態（図１（ｂ）参照）か、或いは、後処理装置が画像形成装置１００に対して連結状態である場合でも前記１又は複数の排出装置において前記排出搬送路が存在する排出装置（ここでは排出搬送路２３０が存在する中間排出装置２００）を含む状態になった場合に（図２（ａ）、図２（ｂ）参照）、記憶部１０３に一旦蓄積しておいた画像データを読み出し、読み出した画像データに基づいて画像形成する構成とされている。
【０１６３】
図１６は、後処理を禁止すべき動作モードによる画像形成処理を禁止する図１５の制御構成の変形例を示すフローチャートである。
【０１６４】
図１６に示すフローチャートは、図１５に示すフローチャートにおいて、ステップＳｂ５の処理の後（ここではステップＳｂ５の処理とステップＳｂ６の処理との間）にステップＳｂ１１の処理を設け、さらに、ステップＳｂ１の処理の前にステップＳｂ１２〜Ｓｂ１５の処理を設けたものである。
【０１６５】
なお、図１６に示すフローチャートにおいて図１５に示すフローチャートと同じ処理については同一符号を付し、その説明を省略する。
【０１６６】
図１６に示す制御例では、制御部１０１は、ステップＳｂ５で禁止すべき動作モードであると判断した場合（ここでは、中綴じ処理禁止モードであるファクシミリ受信印刷モード又はステータス情報印刷モードである場合）には（ステップＳｂ５：Ｙｅｓ）、後処理を禁止すべき動作モードによる画像形成処理に用いる画像データ（ここではファクシミリ受信により受信したファクシミリ受信データや画像形成装置１００のステータスデータを示す画像データ）を記憶部１０３に蓄積して（ステップＳｂ１１）、警報を発し（ステップＳｂ６）、ステップＳｂ１に移行する。ここで、警報としては、代表的には、設定画面Ｇ３に表示するエラー表示を例示できる。このエラー表示としては、例えば、ファクシミリ受信印刷モードの場合には「ファクシミリ受信印刷モードの画像データが蓄積されました。中綴じ処理装置を装着していない状態にすると自動的に印刷されます。」、ステータス情報印刷モードの場合には「ステータス情報印刷モードの画像データが蓄積されました。中綴じ処理装置を装着していない状態にすると自動的に印刷されます。」といったメッセージ表示を挙げることができる。
【０１６７】
また、制御部１０１は、ステップＳ１ｂの処理の前において次のような制御を行う。すなわち、制御部１０１は、後処理装置（ここでは中綴じ処理装置４００）が画像形成装置１００に対して連結している状態である連結状態を検出したか否かを判断し（ステップＳｂ１２）、連結状態を検出した場合には（ステップＳｂ１２：Ｙｅｓ）、ステップＳｂ１３に移行する。
【０１６８】
次に、制御部１０１は、後処理（ここでは中綴じ処理）を行わない記録シートＰを外部に排出する排出搬送路が存在する第１排出装置（ここでは、排出搬送路２３０が存在する中間排出装置２００）を含まない連結状態を検出したか否かを判断し（ステップＳｂ１３）、第１排出装置を含まない連結状態を検出した場合には（ステップＳｂ１３：Ｙｅｓ）（図１（ａ）参照）、ステップＳｂ１に移行する。
【０１６９】
一方、ステップＳｂ１２，Ｓｂ１３で判定が否定となった場合には（ステップＳｂ１２，Ｓｂ１３：Ｎｏ）、後処理を禁止すべき動作モードによる画像形成処理に用いる画像データ（ここではファクシミリ受信により受信したファクシミリ受信データや画像形成装置１００のステータスデータを示す画像データ）が記憶部１０３に蓄積されているか否かを判断する（ステップＳｂ１４）。
【０１７０】
ステップＳｂ１４で記憶部１０３に画像データが蓄積されていると判断した場合には（ステップＳｂ１４：Ｙｅｓ）、記憶部１０３に蓄積されている画像データを読み出し（ステップＳｂ１５）、ステップＳｂ７に移行する一方、記憶部１０３に画像データが蓄積されてないと判断した場合には（ステップＳｂ１４：Ｎｏ）、ステップＳｂ１に移行する。
【０１７１】
この制御構成では、後処理装置（ここでは中綴じ処理装置４００）が画像形成装置１００に対して連結状態である場合に、後処理（ここでは中綴じ処理）を禁止すべき画像形成処理を行う動作モードに対して画像形成処理を行わないようになっていても、後処理装置（ここでは中綴じ処理装置４００）が画像形成装置１００に対して連結されていない状態か、或いは、後処理装置が画像形成装置１００に対して連結状態である場合でも前記１又は複数の排出装置において前記排出搬送路が存在する排出装置（ここでは排出搬送路２３０が存在する中間排出装置２００）を含む状態になった場合に、記憶部１０３に蓄積しておいた画像データを自動的に読み出し、読み出した画像データに基づいて画像形成することで、後処理を禁止すべき画像形成処理を行うことが可能となる。
【０１７２】
なお、図１６に示す制御構成のように、後処理を禁止すべき動作モードによる画像形成処理に用いる画像データを記憶部１０３に蓄積して画像形成処理を禁止するか、図１５に示す制御構成のように、画像データを記憶部１０３に蓄積せずに画像形成処理を禁止するかについては、利用者による選択操作により設定画面（図示省略）において予め設定しておくことができる。
【０１７３】
−その他の実施の形態−
ところで、排出装置（ここでは後処理付き排出装置３００）と後処理装置（ここでは中綴じ処理装置４００）との連結時に、排出トレイ（ここでは排出トレイ３７１）が邪魔になることがある。
【０１７４】
そこで、本実施の形態では、制御部１０１は、排出装置（ここでは後処理付き排出装置３００）と後処理装置（ここでは中綴じ処理装置４００）との連結時に、排出装置における排出トレイ（ここでは排出トレイ３７１）を基準位置から退避位置に移動させるトレイ作動制御手段Ｍ５（図９参照）をさらに備えている。
【０１７５】
また、排出装置（ここでは後処理付き排出装置３００）と後処理装置（ここでは中綴じ処理装置４００）との離間時に、排出トレイ（ここでは排出トレイ３７１）が退避位置に移動したままでは、記録シートＰを排出トレイに確実に排出することが困難となる。
【０１７６】
そこで、本実施の形態では、トレイ作動制御手段Ｍ５は、さらに、排出装置（ここでは後処理付き排出装置３００）と後処理装置（ここでは中綴じ処理装置４００）との離間時に、排出装置における排出トレイ（ここでは排出トレイ３７１）を退避位置から基準位置に移動させる構成とされている。
【０１７７】
図１７は、排出装置に対して後処理装置を連結又は離間させるにあたりトレイ作動制御手段Ｍ５により排出装置における排出トレイを移動させる制御例を示すフローチャートである。
【０１７８】
図１７に示す制御例では、先ず、制御部１０１は、後処理装置（ここでは中綴じ処理装置４００）が画像形成装置１００に対して連結している状態である連結状態を検出したか否かを判断し（ステップＳｃ１）、連結していない非連結状態を検出した場合には（ステップＳｃ１：Ｎｏ）（連結状態II、図１（ｂ）参照）、ステップＳｃ２に移行する。
【０１７９】
次に、制御部１０１は、利用者による取り付け開始ボタン（図示省略）の選択操作により設定画面（図示省略）において開始ボタンのオンを受け付けたか否かを判断し（ステップＳｃ２）、開始ボタンのオンを受け付けた場合には（ステップＳｃ２：Ｙｅｓ）、ステップＳｃ３に移行する一方、開始ボタンのオンを受け付けていない場合には（ステップＳｃ２：Ｎｏ）、ステップＳｃ１に移行する。
【０１８０】
次に、制御部１０１は、排出装置（ここでは後処理付き排出装置３００）における排出トレイ（ここでは排出トレイ３７１）を基準位置から退避位置に移動させる（ステップＳｃ３）。具体的には、制御部１０１は、シート排出装置３７０（図３参照）における移動駆動部３７３により移動機構３７２を用いて排出トレイ３７１を基準位置（図１（ｂ）の実線参照）から退避位置（図１（ａ）の破線参照）に移動させる。
【０１８１】
次に、制御部１０１は、後処理装置（ここでは中綴じ処理装置４００）が画像形成装置１００に対して取り付けられるまで待機し（ステップＳｃ４：Ｎｏ）、取り付けられた場合には（ステップＳｃ４：Ｙｅｓ）、ステップＳｃ５に移行する。
【０１８２】
そして、制御部１０１は、画像形成システムＡの連結状態として、後処理装置（ここでは中綴じ処理装置４００）が画像形成装置１００に対して連結状態Ｉであることを記憶部１０３に登録する（ステップＳｃ５）。
【０１８３】
一方、制御部１０１は、ステップＳｃ１で連結している状態である連結状態を検出した場合には（ステップＳｃ１：Ｙｅｓ）（連結状態Ｉ、図１（ａ）参照）、ステップＳｃ６に移行する。
【０１８４】
次に、制御部１０１は、後処理装置（ここでは中綴じ処理装置４００）が画像形成装置１００に対して取り外されたか否かを判断し（ステップＳｃ６）、取り外された場合には（ステップＳｃ６：Ｙｅｓ）、ステップＳｃ７に移行する一方、取り外されていない場合には（ステップＳｃ６：Ｎｏ）、ステップＳｃ１に移行する。
【０１８５】
次に、制御部１０１は、排出装置（ここでは後処理付き排出装置３００）における排出トレイ（ここでは排出トレイ３７１）を退避位置から基準位置に移動させる（ステップＳｃ７）。具体的には、制御部１０１は、シート排出装置３７０（図３参照）における移動駆動部３７３により移動機構３７２を用いて排出トレイ３７１を退避位置（図１（ａ）の破線参照）から基準位置（図１（ｂ）の実線参照）に移動させる。
【０１８６】
そして、制御部１０１は、画像形成システムＡの連結状態として、後処理装置（ここでは中綴じ処理装置４００）が画像形成装置１００に対して連結していない非連結状態（連結状態II）であることを記憶部１０３に登録する（ステップＳｃ８）。
【０１８７】
この制御構成では、排出装置（ここでは後処理付き排出装置３００）と後処理装置（ここでは中綴じ処理装置４００）との連結時に、排出装置における排出トレイ（ここでは排出トレイ３７１）を基準位置から退避位置に移動させることで、排出トレイ（ここでは排出トレイ３７１）が邪魔になることなく、排出装置（ここでは後処理付き排出装置３００）と後処理装置（ここでは中綴じ処理装置４００）とを連結状態にすることができる。
【０１８８】
また、排出装置（ここでは後処理付き排出装置３００）と後処理装置（ここでは中綴じ処理装置４００）との離間時に、排出装置における排出トレイ（ここでは排出トレイ３７１）を退避位置から基準位置に移動させることで、排出装置（ここでは後処理付き排出装置３００）における排出トレイ（ここでは排出トレイ３７１）が基準位置で記録シートＰを受けることができ、これにより、記録シートＰを排出トレイに確実に排出することができる。
【０１８９】
ところで、画像形成装置１００は、後処理装置（ここでは中綴じ処理装置４００）が画像形成装置１００に対して連結状態である場合に（図１（ａ）参照）、画像形成装置１００に対して後処理装置を連結したことで利用できなくなる（例えば動作に関与しなくなる）ジョブ処理があるにも拘わらず、複数のジョブ処理のうち、画像形成装置１００に対して後処理装置を連結したことで利用できなくなるジョブ処理を示す表示を表示部１４１の表示画面Ｇ（例えば設定画面Ｇ３、図１２及び図１３参照）に表示させると、利用者が表示画面Ｇにおいて設定等の操作を行う際に混乱を招く。ここで、ジョブ処理を示す表示としては、例えば、後処理付き排出装置３００における排出トレイ３７１を示すイラストの表示、部単位で画像形成するグループモードを示す選択ボタンの表示、ステープル位置を示す選択ボタンの表示、パンチモードを示す選択ボタンの表示等を挙げることができる。
【０１９０】
そこで、本実施の形態では、表示制御手段Ｍ２は、さらに、後処理装置（ここでは中綴じ処理装置４００）が画像形成装置１００に対して連結状態である場合に、表示部１４１の表示画面Ｇ（例えば設定画面Ｇ３）に表示させる複数のジョブ処理のうち、画像形成装置１００に対して後処理装置（ここでは中綴じ処理装置４００）を連結したことで利用できなくなる（例えば動作に関与しなくなる）ジョブ処理を示す表示を非表示にする。
【０１９１】
図１８は、表示部１４１の表示画面Ｇに表示させる複数のジョブ処理の設定項目と、その設定値と、画像形成装置１００に対して後処理装置を連結したことで利用できなくなるジョブ処理を示す表示を非表示にする例とを示す図表である。
【０１９２】
図１８に示すように、例えば、設定項目の「排出トレイ」において、設定値の「トップ排出トレイ」、「上段排出トレイ」、「下段排出トレイ」について「排出トレイ」の表示自体を非表示にする。ここでは、図１３（ａ）に示す「トップ排出トレイ」の表示β１、図１３（ｂ）に示す「上段排出トレイ」の表示β１及び「下段排出トレイ」の表示β２に対して、図１２に示すように、「排出トレイ」の表示自体を非表示にする。設定項目の「グループ（部単位）での印刷」において、ＯＮ／ＯＦＦの設定値のうち「ＯＮ」の表示を非表示にする。設定項目の「ステープル位置」において、「しない」、「奧１箇所綴じ」、「２箇所綴じ」、「２箇所綴じ（上綴じ）」の設定値のうち「しない」の表示を非表示にする。また、設定項目のパンチ（パンチ装置装着時）において、ＯＮ／ＯＦＦの設定値のうち「ＯＦＦ」の表示を非表示にする。
【０１９３】
この制御構成では、表示画面Ｇ（例えば設定画面Ｇ３）に表示させる複数のジョブ処理のうち、画像形成装置１００に対して後処理装置（ここでは中綴じ処理装置４００）を連結したことで利用できなくなるジョブ処理を示す表示を非表示にすることで、利用者が表示部１４１の表示画面Ｇ（例えば設定画面Ｇ３）を操作等の操作を行う際に混乱しないようにすることが可能となる。
【０１９４】
また、本実施の形態では、制御部１０１は、予め定めた複数のジョブ処理をジョブプログラムに予め登録しておくジョブプログラム登録制御手段Ｍ６（図９参照）をさらに備えている。ここで、ジョブプログラムとは、例えば、オフセット機能（ジョブ単位で記録シートＰを水平方向にずらして排出する機能）、ソート機能、グループ機能、ステープル機能、折り機能、パンチ機能等の各種機能を組み合わせたジョブの操作を特定のキーに予め登録しておくことで、利用者による所望のジョブの操作をワンタッチで呼び出すことができるようにしたものである。
【０１９５】
そして、画像形成処理手段Ｍ１は、ジョブプログラム登録制御手段Ｍ６にて予め登録しておいたジョブプログラムに基づいて画像形成処理を行い、かつ、後処理装置（ここでは中綴じ処理装置４００）が画像形成装置１００に対して連結状態である場合に（図１（ａ）参照）、ジョブプログラムにおける複数のジョブ処理のうち、画像形成装置１００に対して後処理装置を連結したことで利用できなくなる（例えば動作に関与しなくなる）ジョブ処理を無効にする構成とされている。具体的には、画像形成処理手段Ｍ１は、特定のキーに登録されているジョブプログラムを呼び出したときに動作不可な機能があれば、その機能をジョブプログラムの呼び出し時に無効にする。
【０１９６】
図１９は、後処理装置が画像形成装置１００に対して連結状態になることによってジョブプログラムを呼び出したときに無効になるジョブ処理の機能の例を示す図表である。なお、図１９に示す例では、折り装置が連結されている場合と連結されていない場合とで分けて示している。
【０１９７】
図１９に示すように、折り装置が連結されている場合には、後処理装置（ここでは中綴じ処理装置４００）が画像形成装置１００に対して連結されていない非連結状態で有効になっていたオフセット、ステープル、折り処理（Ｚ折り）、折り処理（二つ折り）、パンチ（パンチ装置装着時）の各機能において、後処理装置が画像形成装置１００に対して連結状態になると、これらの機能がジョブプログラムを呼び出したときに無効になる。また、折り装置が連結されていない場合には、後処理装置が画像形成装置１００に対して連結されていない非連結状態で有効になっていたソート、グループ、ステープル、パンチ（パンチ装置装着時）の各機能において、後処理装置が画像形成装置１００に対して連結状態になると、これらの機能がジョブプログラムを呼び出したときに無効になる。
【０１９８】
この制御構成では、後処理装置（ここでは中綴じ処理装置４００）が画像形成装置１００に対して連結状態である場合に、ジョブプログラムにおける複数のジョブ処理のうち、画像形成装置１００に対して後処理装置を連結したことで利用できなくなるジョブ処理を無効にすることで、後処理装置の画像形成装置１００への連結の有無によって、利用者がジョブプログラムを設定し直す手間を省くことができ、それだけ利便性を向上させることが可能となる。
【０１９９】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０２００】
１００  画像形成装置
１０１  制御部
１０２  処理部
１０３  記憶部
１２０  画像読取部
１３０  画像形成部
１４０  操作表示部
１４１  表示部
１４２  操作部
１５０  シート収容部
１６０  シート供給部
１７０  シート搬送部
１８０  シート排出部
１９０  データ通信部
２００  中間排出装置（排出装置の一例）
２０１  副制御部
２０２  データ通信部
２１０  主搬送路
２２０  中継搬送路
２２１  第１搬送路
２２２  第２搬送路
２２３  第３搬送路
２３０  排出搬送路
２４０  切替部
２４１  分岐爪
２５０  搬送部
２５１  搬送ローラ
２５３  排出ローラ
２５４  回転駆動部
２６０  排出トレイ
３００  後処理付き排出装置（排出装置の一例）
３０１  副制御部
３１０  ステープル処理装置
３１１  ステープルトレイ
３１２  ステープル部
３１３  受け部
３２０  主搬送路
３３０  排出搬送路
３４０  分岐搬送路
３４１  第１搬送路
３４２  第２搬送路
３５０  切替部
３５１  分岐爪
３６０  搬送部
３７０  シート排出装置
３７１  排出トレイ
３７２  移動機構
３７３  移動駆動部
４００  中綴じ処理装置（後処理装置の一例）
４０１  副制御部
４１０  ステープル処理装置
４１１  ステープルトレイ
４１２  ステープル部
４１３  受け部
４２０  折り処理装置
４２１  折り処理部
４２２  裁断処理部
４２３  裁断処理部
４３０  第１搬送路
４４０  第２搬送路
４５０  搬送部
４５７  回転駆動部
４６０  排出トレイ
Ａ      画像形成システム
Ｇ      表示画面
Ｇ１    初期画面
Ｇ２    コピー処理画面
Ｇ３    設定画面
Ｍ１    画像形成処理手段
Ｍ２    表示制御手段
Ｍ３    設定制御手段
Ｍ４    動作モード制御手段
Ｍ５    トレイ作動制御手段
Ｍ６    ジョブプログラム登録制御手段
Ｐ      記録シート
Ｘ      搬送方向
Ｚ      上下方向
【図１】
2014092749.tif 000003
【図２】
2014092749.tif 000004
【図３】
2014092749.tif 000005
【図４】
2014092749.tif 000006
【図５】
2014092749.tif 000007
【図６】
2014092749.tif 000008
【図７】
2014092749.tif 000009
【図８】
2014092749.tif 000010
【図９】
2014092749.tif 000011
【図１０】
2014092749.tif 000012
【図１１】
2014092749.tif 000013
【図１２】
2014092749.tif 000014
【図１３】
2014092749.tif 000015
【図１４】
2014092749.tif 000016
【図１５】
2014092749.tif 000017
【図１６】
2014092749.tif 000018
【図１７】
2014092749.tif 000019
【図１８】
2014092749.tif 000020
【図１９】
2014092749.tif 000021